(57)【要約】【解決手段】動的でリアルタイムの広告の選択、設置管理、支払い、配信の方法及びシステムにおいて、全形式のデジタル広告媒体の制作、リスト化、調達、支払い、リアルタイムの運用管理、再配置及び決済が広告及び広告に関するメッセージの自動配信を任意選択可能として実行される。従来のオンライン媒体による広告の企画、購入、配信及び支払いが自動化され標準化されて、ＴＶ、インターネット、衛星、ラジオ、無線電話、屋外映像、及び動的コンテンツを表示する他のデジタル媒体といった複数メディアにわたり追跡され、特定製品に関し特定市場及び顧客プロフィールで区分された価格設定、実績及び有用性の透明性及び開示が達成される。買手／売手のリアルタイムのフィードバックが提供され、買手及び売手が既存の広告、広告スペース、価格設定等をリアルタイムの販売／コンバージョンのフィードバックに基づきリアルタイムかつ動的に変更できる。【選択図】図５
2008539512.tif 000002
【特許請求の範囲】
【請求項１】
広告スペースの少なくとも１の買手と、広告スペースの少なくとも１の売手と、少なくとも１のウェブマッチングエンジンとの間で、動的でリアルタイムの環境においてリアルタイムに広告の設置を行う方法であって、
少なくとも１の買手からの所望の広告スペースに関する注文情報と、少なくとも１の売手からの広告スペースについての売手側提案情報とを、少なくとも１のウェブマッチングエンジンにおいて受け取る工程と、
少なくとも１の上記買手側注文情報と少なくとも１の上記売手側提案情報との間の少なくとも１の合致に関する情報を、少なくとも１の上記ウェブマッチングエンジンから少なくとも１の買手に承認を求めて送る工程と、
所望の広告スペースに関する少なくとも１の上記買手側注文情報と広告スペースに関する少なくとも１の上記売手側提案情報との間の少なくとも１の合致に関する上記情報を、少なくとも１の上記買手が承認したか否かを判定する工程と、
少なくとも１の上記ウェブマッチングエンジンに、少なくとも１の買手承認を送る工程と、
少なくとも１の上記買手承認を処理して、少なくとも１の承認された広告を選択された媒体に掲示する工程と、
広告の実績情報を追跡して評価し上記ウェブマッチングエンジンに供給する追跡機関から得られた、少なくとも１の上記承認された広告についての情報を分析する工程と、
少なくとも１の上記買手が、新たな広告の追加、或いは少なくとも１の上記承認された広告の修正を行うか否かを判断できるようにするために、分析された上記情報を少なくとも１の上記買手に提供する工程と
を備えることを特徴とする、動的でリアルタイムの環境においてリアルタイムに広告の設置を行う方法。
【請求項２】
少なくとも１の上記買手側注文情報と少なくとも１の売手側提案情報との間の少なくとも１の合致に関する情報の承認の継続を少なくとも１の買手が決断したか否かを判定する工程を更に備えることを特徴とする、請求項１に記載の動的でリアルタイムの環境においてリアルタイムに広告の設置を行う方法。
【請求項３】
少なくとも１の所望の広告スペースに関する予備情報を生成する工程を更に備えることを特徴とする、請求項２に記載の動的でリアルタイムの環境においてリアルタイムに広告の設置を行う方法。
【請求項４】
少なくとも１の上記買手は、広告に関する少なくとも１のパラメータを設定することを特徴とする、請求項１に記載の動的でリアルタイムの環境においてリアルタイムに広告の設置を行う方法。
【請求項５】
少なくとも１の上記パラメータは、日々の消費額、広告に用いられる広告媒体、下限コンバージョン数、広告の地理的対象範囲、ユーザのプロフィール及び履歴、並びに特定キーワードに対する上限支払額のうちの少なくとも１つであることを特徴とする、請求項４に記載の動的でリアルタイムの環境においてリアルタイムに広告の設置を行う方法。
【請求項６】
少なくとも１の上記買手は、広告設置に関する少なくとも１のパラメータを指定することを特徴とする、請求項１に記載の動的でリアルタイムの環境においてリアルタイムに広告の設置を行う方法。
【請求項７】
少なくとも１の上記パラメータは、広告購入の増減時期、広告購入の増減方法、及び広告購入を増減させるイベントの少なくとも１つからなることを特徴とする、請求項６に記載の動的でリアルタイムの環境においてリアルタイムに広告の設置を行う方法。
【請求項８】
少なくとも１の買手からの上記注文情報は、広告スペースへの入札を含むことを特徴とする、請求項１に記載の動的でリアルタイムの環境においてリアルタイムに広告の設置を行う方法。
【請求項９】
少なくとも１の上記売手は、少なくとも１の広告スペースを生成し、少なくとも１の買手による単一或いは複数の広告媒体の購入のために広告のパッケージを作成することを特徴とする、請求項１に記載の動的でリアルタイムの環境においてリアルタイムに広告の設置を行う方法。
【請求項１０】
少なくとも１の上記広告スペースの生成及び上記広告パッケージの作成は、データベースからのデータ、売手のインベントリ、及び中央情報施設から得られた情報と少なくとも１の上記買手のそれまでの活動パターンとに基づく競合者の価格設定の少なくとも１つを用いて行われることを特徴とする、請求項９に記載の動的でリアルタイムの環境においてリアルタイムに広告の設置を行う方法。
【請求項１１】
上記送る工程は、少なくとも１の上記ウェブマッチングエンジンでサーチを行い、少なくとも１の上記買手側注文情報と少なくとも１の上記売手側提案情報との間の少なくとも１の合致に関する上記情報を索出する工程を含むことを特徴とする、請求項１に記載の動的でリアルタイムの環境においてリアルタイムに広告の設置を行う方法。
【請求項１２】
上記ウェブマッチングエンジンは、少なくとも１の上記買手と少なくとも１の上記売手とから、少なくとも１の買手側注文と少なくとも１の売手側提案とに関して受け取った情報を処理することを特徴とする、請求項１に記載の動的でリアルタイムの環境においてリアルタイムに広告の設置を行う方法。
【請求項１３】
少なくとも１の上記買手と、少なくとも１の上記売手とは、一覧にされた互いの実際の価格設定、上記システムによって一覧にされた実際の価格設定、及び第三者による各買手についてのコンバージョン情報の少なくとも１つを閲覧することが可能であることを特徴とする、請求項１に記載の動的でリアルタイムの環境においてリアルタイムに広告の設置を行う方法。
【請求項１４】
上記ウェブマッチングエンジンに継続的な限定注文を提示する工程を更に備えることを特徴とする、請求項２に記載の動的でリアルタイムの環境においてリアルタイムに広告の設置を行う方法。
【請求項１５】
上記継続的な限定注文は、少なくとも１の上記買手によって設定された最低限の要求を上回る実績を有した少なくとも１の売手について、上記ウェブマッチングエンジンに現状の維持及び別の位置への広告の設置を行わせる指示からなることを特徴とする、請求項１４に記載の動的でリアルタイムの環境においてリアルタイムに広告の設置を行う方法。
【請求項１６】
上記ウェブマッチングエンジンは、利用可能な広告のクリック単価とその価格設定情報とを全て監視し、少なくとも１の上記買手の予算が消費されるまで、少なくとも１の上記買手によって提示された予算の範囲内での広告の合致を試みることを特徴とする、請求項１５に記載の動的でリアルタイムの環境においてリアルタイムに広告の設置を行う方法。
【請求項１７】
上記分析の工程は、
少なくとも１の適切なウェブ、或いは広告媒体サーバ及び第三者の追跡機関から取引情報を収集する工程と、
選択された広告媒体に少なくとも１の承認された広告を掲示する工程と、
掲示された少なくとも１の上記広告の実績を、少なくとも価格設定データベース及び上記ウェブマッチングエンジンに報告する工程と、
を有することを特徴とする、請求項１に記載の動的でリアルタイムの環境においてリアルタイムに広告の設置を行う方法。
【請求項１８】
少なくとも１の上記買手によって設定された上記最低限の要求を下回る実績の広告について、少なくとも１の上記買手に返金を行う工程を更に備えることを特徴とする、請求項１５に記載の動的でリアルタイムの環境においてリアルタイムに広告の設置を行う方法。
【請求項１９】
少なくとも１の上記買手によって設定された上記最低限の要求を上回る実績の広告について、少なくとも１の上記買手に料金請求を行う工程を更に備えることを特徴とする、請求項１５に記載の動的でリアルタイムの環境においてリアルタイムに広告の設置を行う方法。
【請求項２０】
広告スペースの少なくとも１の買手と、広告スペースの少なくとも１の売手との間で、動的でリアルタイムの環境においてリアルタイムに広告の設置を行うシステムであって、
少なくとも１の買手からの所望の広告スペースに関する注文情報と、少なくとも１の売手からの広告スペースについての売手側提案情報とを受け取るウェブマッチングエンジンと、
第１のネットワークを介して上記ウェブマッチングエンジンに接続され、少なくとも１の上記買手からの注文情報をアップロードする少なくとも１の買手側演算デバイスと、
第２のネットワークを介して上記ウェブマッチングエンジンに接続された少なくとも１の売手側演算デバイスと、
上記ウェブマッチングエンジンに間接的に接続された切換ノードと、
上記切換ノードに接続された少なくとも１の買手側コンテンツサーバと、
上記切換ノードに接続された少なくとも１の売手側コンテンツサーバと、
上記切換ノードに接続されたコンテンツデータベース及びサーバと
を備えることを特徴とする、動的でリアルタイムの環境においてリアルタイムに広告の設置を行うシステム。
【請求項２１】
少なくとも１の上記買手は、広告主或いは広告代理店からなることを特徴とする、請求項２０に記載の動的でリアルタイムの環境においてリアルタイムに広告の設置を行うシステム。
【請求項２２】
上記ウェブマッチングエンジンは、収集、分類、ランク付け、関連情報の添付、公表、料金請求、集金、及び受け取り当事者への支払いの少なくとも１つを行うことを特徴とする、請求項２０に記載の動的でリアルタイムの環境においてリアルタイムに広告の設置を行うシステム。
【請求項２３】
上記ウェブマッチングエンジンは、オープンソースソフトウエアを介して上記切換ノードに接続されることを特徴とする、請求項２０に記載の動的でリアルタイムの環境においてリアルタイムに広告の設置を行うシステム。
【請求項２４】
少なくとも１の上記買手側演算デバイスは、コンピュータ、携帯電話、個人用携帯情報端末（ＰＤＡ）、及び他のウェブ利用可能デバイスの少なくとも１つからなることを特徴とする、請求項２０に記載の動的でリアルタイムの環境においてリアルタイムに広告の設置を行うシステム。
【請求項２５】
少なくとも１の上記買手側コンテンツサーバは、上記切換ノードと相互に情報交換し、上記切換ノードは、少なくとも１の上記売手側コンテンツサーバ並びに上記中央コンテンツデータベース及びサーバと相互に情報交換することを特徴とする、請求項２０に記載の動的でリアルタイムの環境においてリアルタイムに広告の設置を行うシステム。
【請求項２６】
上記ウェブマッチングエンジンは、少なくとも１の上記買手側注文情報と少なくとも１の上記売手側提案情報との間の少なくとも１の合致に関する情報を、少なくとも１の上記買手に送って承認を求めることを特徴とする、請求項２０に記載の動的でリアルタイムの環境においてリアルタイムに広告の設置を行うシステム。
【請求項２７】
上記ウェブマッチングエンジンは、所望の広告スペースについての少なくとも１の上記買手側注文情報と広告スペースについての少なくとも１の上記売手側提案情報との間の少なくとも１の合致に関する上記情報を、少なくとも１の上記買手が承認したか否かを判定することを特徴とする、請求項２６に記載の動的でリアルタイムの環境においてリアルタイムに広告の設置を行うシステム。
【請求項２８】
上記ウェブマッチングエンジンは、少なくとも１の買手承認を受け取り、少なくとも１の上記買手承認を処理し、承認された広告を上記選択された広告媒体に掲示することを特徴とする、請求項２６に記載の動的でリアルタイムの環境においてリアルタイムに広告の設置を行うシステム。
【請求項２９】
上記ウェブマッチングエンジンは、広告の実績情報を追跡して評価し、上記ウェブマッチングエンジンに供給する追跡機関から得られた、少なくとも１の上記承認された広告についての情報を分析することを特徴とする、請求項２０に記載の動的でリアルタイムの環境においてリアルタイムに広告の設置を行うシステム。
【請求項３０】
上記ウェブマッチングエンジンは、少なくとも１の上記買手が、新たな広告の追加、或いは少なくとも１の上記承認された広告の修正を行うか否かを判断できるようにするために、分析された上記情報を、少なくとも１の上記買手に提供することを特徴とする、請求項２９に記載の動的でリアルタイムの環境においてリアルタイムに広告の設置を行うシステム。
【発明の詳細な説明】
【技術分野】
【０００１】
本発明は、商業環境におけるデジタルグッズのリアルタイムの配信に関するものであって、特に動的でリアルタイムの環境における、広告媒体スペースを含むデジタルグッズの選択、設置管理、支払い、及び配信のための方法及びシステムに関する。
【背景技術】
【０００２】
従来の広告体系においては、広告主が広告代理店を使用し、広告戦略の策定、広告内容の創作、及び希望する対象者層やその他の要素に応じた広告媒体スペースの確保を行う。広告会社の多くは、地理的な営業領域や顧客範囲の拡大を図るため、広告媒体の代理人を雇用する。このような場合、実際の広告が配信されて放映されるよりもかなり前に取引が完了する。こういった現状における広告媒体の取引の過程は、いくつかの点で非効率的である。例えば、広告の売手と買手とは地理的に分散しており、広告市場はひどく分散しているため、取引の実行には時間と労働力の集中を要する。また、新技術の採用及び適用は遅れ、広告結果を追跡して対応することができず、個々の市場での広告媒体の形式や価格相場の格差が大きい。更に、特定の時期に特定の商品に対して特定の広告媒体の有効性を得ることが困難であり、市場動向やフィードバックを得て広告媒体を変更したり採用したりする柔軟性に欠けている。
【０００３】
広告キャンペーンのための適正な広告媒体の購入には、しばしば多くの課題が生じる。広告媒体の買手の多くは、十分な将来的計画と先進的な実施を要求する。また、適正な宣伝キャンペーンの決定と策定には、何年もの経験や、業界特有の専門的知識、長期にわたる計画や努力が要求されるものであり、これらの全てに対し、広告媒体の設置業務についての１５％以上の料金請求を広告代理店に認めている。しかしながら、電子商品の出現とその受け渡し及び配信は、より柔軟で流動的な広告市場についての新たな機会を創造するものとなった。
【０００４】
世界的経済はますます統合されつつあるため、最新の関連情報にリアルタイムでアクセスすることは、事業を行う上で重要となり、このような情報は、成功した企業と、市場変化に対応する能力について立ち遅れている不出来な企業との格差を作り出す。現在、有用な情報の大部分は、専門的なリサーチ会社や金融会社により、ブルームバーグやロイターなどのような多くの分散したネットワークへの専有的な加入を介して提供される。主としてこの情報は、このような情報に依存する金融市場のような業界によって利用される。また、この情報は選別されることなく提供され、日々のニュースリリースや報道発表のような膨大な量の公表内容の中から関連する情報を見出すのはユーザ次第である。
【０００５】
世界経済の統合は、インターネットと一般的に呼ばれている全世界的なネットワークの形態において最も顕著なものである。インターネットは、今や数十億のアドレスが存在するほどの規模に成長した。これらアドレスのそれぞれは、対応するウェブサイトと、事前の予告なしに変更されうるコンテンツとを有することがある。また、ウェブサイトは別のウェブサイト或いはデバイスと、ウェブサービスやｘｈｔｍｌリンクを介して動的にリンクしていることもある。コンテンツやリンクの変更は、１日に数百万回行われることもある。これらの掲示及び変更は第三者によってなされることがしばしばであり、そのような変更を見出すためのサーチエンジンやその他のサービスは、必ずしもそのサイトを発見したりインデックスを付したりすることができない場合があるため、ウェブユーザはこのようなサイトの掲示や変更に気がつかない可能性がある。
【０００６】
信頼性のある最新のサーチ、価格、及びニュース情報への要求の増大は、成長し続ける世界的規模のインターネットにおいて探している新規な情報の発見や並べ替え（例えば新しい順）をますます困難なものとしてきた。例えば、最も一般的なサーチ及び情報収集エンジンは、存在するほとんど固定的なウェブサイトの一覧を探索してインデックスを付することに重点を置いている。インターネットの実際のサイズに起因して、新たな或いは既存のサイトやサイトのコンテンツが公表される時期と、一般的なサーチエンジンにおいてインデックスが付されたデータとしてそのような情報が利用可能となる時期との間には、増大しつつある時間遅れが存在する。ウェブ上の大部分の情報は無料であるが、情報を必要とするものによって提供されたクエリに基づき、情報が並べ替えられてインデックスが付された状態で配布されうるのであれば、多くの登録者や広告主は、そのような情報に対して料金を支払ってもよいと考えている。
【０００７】
インターネットの時代となり、広告業界の成長及び変化は速まり、その速度はより増大しつつさえある。世界的なウェブ広告の収益は、４０％の成長率により２００５年には１２５億ドル近くに達すると予測されていた。
技術の進歩は広告業界に重大な変化をもたらした。例えば、携帯電話は、特定の場所を対象として使用しうる最新の双方向作用型広告媒体の１つである。しかしながらつい最近では、より効果的な広告媒体を提供するため、ウェブサイト、ブログ、サーチエンジン、インタラクティブＴＶ、ウェブＴＶ、屋外デジタル掲示板、衛星無線通信、インターネットなどといった別の様々な媒体が用いられている。従って、これらのマルチメディアの形態の適用は、マスメディアを新たな、１対１対応の広告形態へと転換させつつある。パーソナルウェブＴＶサービスの出現はＴＶの視聴習慣を変え、それによってプライムタイム及び放送チャンネルのブランド化はあまり重要ではなくなると考えられる。コマーシャルは、個々の視聴者に注目されるようなものでなければ消滅することになる。
【０００８】
ウェブに接続される主要なデバイスが、ＰＣによる占有状態からハンドヘルドのワイヤレスデバイスに移行するにつれて、サーチの環境及び形態、並びに関連するサービスは、特定の場所やこれらのデバイスのサイズ及びスペースの制限に適応するように変化する必要がある。
【発明の開示】
【発明が解決しようとする課題】
【０００９】
このようなサービスの大部分はグーグル（GOOGLE）やヤフー（YAHOO）を介してなされているので、柔軟性に欠けていることが明らかである。また、これらのエンジンは、広告の配信やインベントリの収集のために別の多くのネットワークを利用しているので、広告の供給と実効投資収益（EROI）の計上とに多くの重複が存在する。
多くのウェブサイト（公表者）は、グーグルやダブルクリック（DOUBLE-CLICK）のようなネットワークをマーケットメーカとして利用して業務を処理させ、配信と業務管理に対して料金を支払う。このようにすることにより、公表者は可能性のある収入の大部分を失うことになる。
【００１０】
仲介者のネットワークの多くは、デイジーチェーン方式で互いに接続されており、ユーザのブラウザに至るまでの間に広告が複数の広告用サーバを通過する必要があるため、時間通りに公表者に広告を配信しようとする際に待ち時間が生じる。このような広告供給ネットワークは、時間通りに広告を供給することができないため、有用性を低下させ、様々なネットワーク間の接続数を制限することになる。
【００１１】
既存のネットワークには、広告をブロックしたり広告の作成を管理したりする方法、及び／又は配信形式やコンテンツを管理する方法がない。
現状において公表者は、ネットワークによって提案されるものを自身の内部システムと照合することにより、インベントリの販売について順位付けを行い、広告主に指示する。このような照合の多くは手作業で行われ、１日に数百万〜数十億のヒットを取り扱うことから、きめ細かいものとはならず、動的なものではない。インベントリは最適な広告主に販売されるわけではないので、この多額の収益は無駄になり、またシステムは動的に調整されないので、広告主は最善のＥＣＰＭを得ることができない。
【００１２】
現在のところ、広告情報或いは新たな情報に関連する情報の収集及び追加を行い、これを利害関係者に配布し、そのような広告サービスに対して市場ベースの価格を規定するようなシステムは存在していない。既存のネットワーク、及び現在利用可能なシステムでは、買手と売手とが互いに情報やネットワークを共有することはできない。更に、グーグルのようなネットワークは、買手及び／又は売手と情報を供給しない。
【００１３】
従って、ウェブマッチングエンジンが何らかの透明性を提供すると共に、買手と売手との間で、広告の場、キーワード、バナー、及びその他の形態の広告媒体について、リアルタイムの取引を可能とする解決策を実行する方法及びシステムが必要であることは明らかである。
また、広告媒体スペースの買手と売手との合致を可能とするだけではなく、あらゆるタイプのデジタルグッズの買手と売手との合致を可能とするマッチングの仕組みを提供する方法及びシステムが必要とされていることも明白である。
【課題を解決するための手段】
【００１４】
ここでは、広告スペース或いは広告媒体スペース、及びこれらの買手と売手との合致について述べるが、買手から売手、或いはその逆に、合致する物品を配送するためのシステムと組み合わされた、本原理によるウェブマッチングエンジンや、ここに述べられているような関連作業が、デジタルネットワークを介したあらゆるタイプのデジタルグッズの販売と配送にも同様に適用可能であることは、当業者であれば理解しうるものである。デジタルグッズの例としては、広告スペース、電子ブック、ビデオ、写真、音楽、携帯の着信メロディなど、デジタル媒体によって提供可能なあらゆるグッズ或いはサービスが含まれる。
【００１５】
本原理は、販売、コンバージョン、製品カテゴリなどに関する情報を、買手、売手及び第３者ネットワークが共有することを可能とし、それによって取引連鎖の中の各当事者が現金への転換を最適化できるようにすると共に、リアルタイム環境における付加的な管理の維持を可能とすることにより、既存のネットワーク及びシステムにおける欠点を克服するものである。例えば、買手は探している製品又はサービスの最善の価格を見出すことが可能となり、システムによってリアルタイムに提供されるフィードバックに基づき、予算配分や、購入しようとする希望の対象カテゴリを動的に調整することが可能となる。同様に、売手は売りに出されているデジタルグッズについてのリアルタイムのフィードバックによる同様の利点を得ることができ、価格設定や有用性などについての運用管理を動的に変更することが可能となる。（買手と売手とが提供可能なあらゆるソースからの）取引情報を共有するということは、全ての過程にわたって、取引における買手と売手とが現金への転換を最適化できるようにしながら、買手と売手とに高いレベルの管理を提供することになる。
【００１６】
本原理は、全てのタイプのデジタル広告媒体の製作、列挙、調達、支払い、リアルタイム管理、再配置、及び財務決済が行われる、絶えず変化し続ける市場での、動的でリアルタイムの環境における、広告の選択、設置の管理、支払い及び配信を、任意に自動化された広告配信や、広告及びグッズに関するメッセージの伝達と共に行うための方法及びシステムに関する。オンラインによる従来の媒体による広告に関する企画、購買、配信及び支払いは、ＴＶ、インターネット、衛星、ラジオ、ワイヤレス電話、屋外スクリーン、及び動的コンテンツを表示可能なその他の広告媒体といった複数の広告媒体にわたって自動化され、標準化されて追跡される。この結果、特定の製品に関する特定の市場及び消費者のプロフィールによって区分された価格設定、実績、及び有用性についての透明性、及び開示が達成される。
【００１７】
オンライン広告媒体の増加及びオンライン広告業界の分散に伴って増大する問題を緩和するため、本発明の方法及びシステムは、様々な情報発生源及び広告主を全て並べて評価し、広告費用を注文や収益に転換する上でのこれらの有用性を正確に追跡して、業界毎、製品毎及びサービスのタイプ毎に区分して順位付けする。オンライン広告業界は、広告を追跡して広告の的を絞ると共に、広告主がエンドユーザと密に相互作用しあえるようにするための無類の能力を提供する。このシステムは、買手と売手との間で高い適性及び両者にとってより良い最終結果を伴う組み合わせが行われるためのデータを、全ての関係者が使用可能とするような分かり易い方法で、買手及び売手、並びに第三者から収集した追跡情報の全てを利用する。最近では、グーグルのような、最大のネットワークがその取引内容やコンバージョン情報を利用可能な状態で公表していないため、合致情報には透明性が欠如している。また、オンライン広告業界は分断化されている。このため、スポット広告についての公表者による価格設定と、広告代理店や広告主がそれに対して支払う最終的な金額との間には大きな隔たりが存在する。これにより、あらゆる広告、広告媒体、或いはデジタルグッズの市場価値を判断するために、利用可能な開かれた市場の必要性が生じてきた。この点で、ウェブマッチングエンジンは、売買を集めて合致させ、売買を実行し、広告を配信し、売買を完了させて市場データを収集するために利用される。
【００１８】
本原理のシステム及び方法は、広告スペース（又はデジタルグッズ）の売手が、数ヶ月も前に広告スペースを売るのではなく、公共に広告スペースを提供する直前までに、空いている場所を満たす上で、直接の顧客、市場、或いはグーグルのようなネットワークのいずれに発送すべきであるかを判定することによって、より効果的に自身のインベントリを管理することができるようにする。一実施形態によれば、ウェブマッチングエンジンが活動的な一次的及び二次的な市場を創り出す。この結果、広告は各場所、広告、及びウェブサイトの価格上の力に関する市場の意向を示すことになるので、各広告媒体に関してより適正な区分と価格設定の開示がなされる。更に、ウェブマッチングエンジンは、各広告キャンペーンの追跡だけではなく、複数の広告媒体にわたる広告キャンペーンの有用性の追跡も可能とする。
【００１９】
本原理のウェブマッチングエンジンは、単独の中央マッチングエンジンを介して全ての関係者を直接接続すると共に、広告主のサーバを介して広告が提供されるようにすることで、デイジーチェーン接続の問題や待ち時間の問題を解消する。或いは、ウェブマッチングエンジンの予備データベースが公表者のデータベースに広告を存在させることにより待ち時間を解消する。ウェブマッチングエンジンは、自身の及び別の報告手段(例えば第三者機関)を介して取引情報を収集し、全ての関係者との恒久的な金銭取引関係を維持することにより、相互に金融上の関係が全くない数十万の公表者と広告主に対し、支払いと集金のサービスを提供すると共に、これを保証することができる。
【００２０】
本原理のウェブマッチングエンジンは、ユーザが広告創作物を排除及び／又は管理し、及び／又は自動的に広告創作物を（例えばＲ指定やＰＧＩ３指定のように）ランク付けすることによって配送されるタイプやコンテンツをユーザが管理できるようにすると共に、両者（即ち売手と買手）も同様の管理が行えるようにする。
本原理のウェブマッチングエンジンは、旧式な手作業による内部ソート作業と優先付けのネットワークジョブプログラムとを自動化することにより、先行技術において公表者のインベントリに優先順位を付けて販売を行う際に問題となる部分を大幅に自動化する。本原理のウェブマッチングエンジンは、広告主がインベントリと価格設定とを直接ウェブマッチングエンジンに供給することができるようにして、ウェブマッチングエンジンが公表者自身の内部インベントリ及びネットワークと連携し、ウェブマッチングエンジンのネットワーク上で、公表者のインベントリについて販売を自動的に判定すると共に優先順位付けを行う。このようにして、マッチングエンジンによって自動的に転送が行われ、公表者のインベントリが最も良好に現金に転換されるようにする。
【００２１】
ウェブマッチングエンジンは、インターネット上のサーチエンジン、数十億のウェブサイトやブログの訪問者と、当該訪問者のコンバージョンと間に透明性を持たせると共に、各サイト及び媒体に対して最も適切な広告を組み合わせ、それらを販売に転化させる能力を創り出す。この結果、サーチエンジン、ウェブサイト及びブログは、広告を介して極めて高いクリック率を獲得することが可能となる。ウェブマッチングエンジンは、広告主が希望するものは何でも託すことができるようにして、価格に競争力がある限り、その広告が売り上げをもたらすようにする。更に、広告主は、売手から提示された全価格から取引手数料を差し引いた金額を確保することができる。この結果、現在ウェブ広告を独占している集団は、実際の結果に基づいて最も効率的に最適な広告費を自動的に使うことができる仲介者に取って代わられることになる。
【００２２】
本原理のウェブマッチングエンジンは、顧客のニーズに基づきいくつかのレベルで運用することができる。このような運用の例は以下の通りである。
１．可能性のある公表者と広告主との合致のみ
２．合致及びネットワークによる接続
３．合致、接続及び広告の供給
４．合致、接続、供給及び料金請求
５．合致、接続、供給、料金請求及び集金、及び／又は
６．自動的な合致、接続、料金請求、供給、評価、取引情報の公表、配置変更、期間の開始と終了、及び集金
更に、ウェブマッチングエンジンは、種々の関係者の相互の関係及び経歴についてのランク付けを行う買手及び売手の取引フィードバックループを有する。
【００２３】
本原理の別の側面及び特徴は、添付の図面と共に考慮される以下の詳細な説明から明らかとなるであろう。但し、これらの図面は単に例示のために作成されたものであって、本発明の境界を定義するものではなく、本発明の範囲についての参照は添付のクレームに対してなされるべきである。また、図面は必ずしも一定の縮尺で作成されたものではなく、特に示されない限り、これらの図面は単にここに述べられた構成及び手順の概念的な例示を意図するものである。
【発明を実施するための最良の形態】
【００２４】
世界中で広告に関する法体系及び費用構成が異なる。このため、本原理は、デジタルグッズの配置を可能とし、特定の実施形態においては世界的規模での広告媒体スペースの設置を可能とするシステム及び方法を提供する。同様に、ウェブマッチングエンジンは、広告主に提案されるコンテンツのタイプ及び価格設定を管理すると共に、売手が定めることのできる制限にコンテンツが適合するようにシステムを運用管理する。この場合、広告媒体及び市場を地理的に区分することにより、市場ごとの広告の設置及び経費の管理が可能となる。
【００２５】
多くの広告代理店は、多くの供給元から購入される広告媒体の選択、契約、及び支払いのための機能を提供する。このような代理店は、多くの顧客を集める上で役立ち、広告スペースの売手への単一のインターフェースと支払い元を有している。本原理のウェブマッチングエンジンは、広告代理店に求められる必要条件をなくすように機能する。また、このマッチングエンジンは、あらゆる仲介人を排除し、合致する広告主と公表者とを見つけ出すことにより、ダブルクリックやグーグルのようなネットワークを用いて作業する必要性を排除する。即ち、ウェブマッチングエンジンは、広告代理店及びネットワークと同様の機能を低料金で提供する。しかも、このマッチングエンジンは、より多くの買手及び売手を集め、より多くの買手及び売手のために、集中化された決済を提供すると共に、有用性についての追跡結果の開示を行う。更に、ウェブマッチングエンジンは、消費動向についての履歴データや価格設定データを収集するだけではなく、資金が収集されることを保証し、係争解決のための準備を行う。市場に関するデータは、収集し、分類して第三者に販売することが可能である。一実施形態では、ウェブマッチングエンジンが支払いを保証し、売手が不良貸し付けの被害を受けずにすむようにする。
【００２６】
別の実施形態において、ウェブマッチングエンジンは、広告の価格変動に関するリスクを買手が想定できるようにするだけでなく、売手が前払いによる割引を提案できるようにすること、或いは長期間にわたって前金で売手がインベントリを売ることができるようにすることにより、売手のキャッシュフローを改善するように機能する。この結果、同じ市場及び別個の市場のいずれにおいても、そのような役割についての取引が行われる二次市場が提供される。広告のインベントリは集合したパッケージとなりうるものであり、金融市場において証券化することにより、インベントリの流動資産化及び現金化を公表者に提供することが可能となる。市場に関するデータは、収集し、分類して、第三者に販売することが可能である。一実施形態によれば、広告スペースの買手は、より一層容易に広告スペースの長期売買契約及び／又は短期売買契約のいずれを締結すべきかの判断が可能となり、予算上或いは広告上の必要性が変化した場合に、これらの「広告スポット」を二次市場に容易に売り出すことができる。このような市場においては、買手が購入決定に関するリスクをなくすことができるようにすることで、元のインベントリ保有者がそのインベントリに対してより良い金額を獲得することが可能となる。
【００２７】
別の実施形態によれば、ウェブマッチングエンジンは従来のオンラインの媒体購入者からの購入注文を収集し、従来のオンラインの媒体販売者から様々なタイプの広告スペースのインベントリを得るための情報施設を有している。この場合、各販売当事者は、オンラインサイトにおいて、広告媒体の種類や対象者層、別の広告場所に対して課している料金を説明して登録すること、或いは信頼できる第三者からそういったデータを提供することが可能である。
【００２８】
また、売手は、競合の問題、法律的問題或いは検閲上の問題により特定の内容が広告されないように制限することができる。この場合、例えば、購入当事者がそれぞれ同じサイトに登録し、キーワード、製品、場所、キャンペーンの間に必要とされる予算及びキャンペーンの種類、対象とする市場、並びに購入者が特定の予算内で接触しようとする対象者層を指定することができる。ウェブマッチングエンジンは、このような要求を処理し、最新の価格設定及び注文に基づく最善の組合せを、マッチングエンジンに供給された過去及びリアルタイムのコンバージョン成績に基づいて売手から提案された広告スペースと共に買手に表示する。このような組合せは、視聴者あたりの最低価格を示したものという買手の要求に基づくものであってもよいし、特定の日に消費された１ドルあたりの最も高いコンバージョン率に基づき、組合せが行われるようにしても良い。
【００２９】
本原理の実施形態によれば「仮想インベントリ」を有した売手が出現しうる。例えば、仮想インベントリを有した売手は、株式トレーダが株や債権を取引するようにして、将来の可能性の中で取引を行う。この場合、売手は長期の広告契約を取得して複数の短期間契約として販売したり、或いは別のタイプの広告媒体とパッケージにして、広告契約或いは広告契約についてのキャッシュフローを証券化したりして資金を調達する。売手は、多くのそういった契約をパッケージにすると共に、マッチングエンジンを取引の価格設定及び取引の処理のための市場として機能させ、別の買手に証券もしくは債券として売るようにしてもよい。
【００３０】
特定の売手は、広告媒体スペースの有用性やクリック価格などの理由によって、買手の予算、コンバージョンの要求、或いはパラメータの全てを満たすことはできない可能性がある。このためウェブマッチングエンジンは、購入注文における予算が満足されるまで、次の売手の利用可能な媒体などとの代替の組合せをリアルタイムで提供する。この組合せは、広告媒体に対して提案された自身の予算配分を確認することが許され、購入の継続、将来の使用に関するオプションの購入、或いは特定の期間又は条件のもとでの単なる場所の確保を決定することのできる買手に対してリアルタイムで送られる。或いは、買手は、予算配分マネージャを介して自身の購入注文を自動的に実行する限定的な注文を提示するようにしてもよい。
【００３１】
購入注文が提示され、或いは実行されると、ウェブマッチングエンジンは、次の閲覧者に広告を提示するために、買手のサーバ、或いはウェブマッチングエンジンデータベースから売手のサーバに、適切な広告を配信するよう広告サーバに指示する。このような広告は、待ち時間を最小化するために、公表者の広告サーバ内に保有するようにしてもよい。例えば、売手は、特定の番組の人気やウェブの限界が所定のレベルを下回らないように保証してもよい。ウェブマッチングエンジンは取引を「記録」し、買手と、買手が以前に購入契約を結んだことのある単一又は複数の売手との間での所持金の一部もしくは全てを移動する準備をする。ウェブマッチングエンジンは合意された購入計画に従い、広告を放映するための別の広告媒体に広告を配信する。ウェブマッチングエンジンは広告媒体の実績をリアルタイムで評価し、その広告媒体の実績が所定の予測レベルを下回る場合には、マッチングエンジンが出来栄えの悪い広告を、より低価格で低いコンバージョンを要求する別の広告とリアルタイムで置き換える。本原理のウェブマッチングエンジンは、グーグルやヤフーによって用いられるシステムとは異なり、価格を表示しない。むしろ、ウェブマッチングエンジンは、買手と売手とがそれぞれの購入注文と販売注文とを見せることができるようにして、条件及び過去の実績を完全に開示した上で直接合致させることができるようになっている。更に、ウェブマッチングエンジンは、グーグルのシステムと同様に購入注文と販売注文との間の隔たりをそのままにしたりはしない。買手には全ての価格が開示され、その後に取引及び取り纏めの手数料が請求される。
【００３２】
本原理によれば、複数のソースから情報を収集し、正確なコンバージョン情報と買手に関する開示情報を編集して評価が行われる。複数のソースには、第三者による格付け業者、価格設定及び買手側供給チェーンソフトウエア、ウェブサイト追跡ソフトウエア、第三者のインベントリ、コンバージョン及び売買要求、ウェブ訪問やコールセンターへの電話の過去のレベルを上回る増大、広告媒体のタイプによって区分された多数の買手についての同一業界における全ての買手のコンバージョン結果、日付及び地理、並びに購入判断を行った買手及びインベントリについての決定を行った売手に関連するその他の情報が含まれていてもよい。
【００３３】
買手の供給チェーンや顧客管理（ＣＲＭ）システムからのデータは、実際の注文についてのリアルタイムのフィードバックが広告媒体の購入に関連付けられるように、ウェブマッチングエンジンとリンクさせることができる。この結果、ウェブマッチングエンジンによって買手の予算が最適化される。この場合、リアルタイムの最適化のために、データを定期的に供給することが可能であり、或いは中央情報施設へのウェブサービスを介してデータを纏めることができる。更に、本原理の方法は、売手がそれぞれのデータを別の追跡機関に提供して順位及び実績の改善を立証できる。この場合、販売店からの結果が提供されてデータベースに供給され、広告媒体によって達成された実際のレベルが業績の目標レベルと比較される。広告媒体の実績が予想のレベルより低い場合には、ウェブマッチングエンジンが買手のためにその後の予算の使用先を別のソースに変更することができる。或いは、ウェブマッチングエンジンが、買手によって委託された資金の一部を、別の広告媒体の購入に使用するようにしてもよい。更に、事前の契約に基づき、買手に対して払い戻しを行うこともできる。
【００３４】
一方、広告媒体による結果が予想レベルを上回る場合には、販売時点に取り交わされた両当事者間の契約に基づき、中央情報施設が買手に割増金を請求するようにしてもよい。本原理によれば、全てのタイプの広告についてデータが集められることにより、あらゆる広告主が、突出するコンバージョン率や、特定の日に特定の広告媒体に投入する予算額の有効性を確認することが可能となる。この場合、ウェブマッチングエンジンは、事業、カテゴリ、製品、サービス、コンバージョン、及び各媒体のタイプやウェブ上の様々な公表者からのインベントリプロファイルに相互に関連するようなその他の分類によって区分されたリアルタイムの取引データを表示し、別の買手や売手が、各広告、ウェブサイト上のページ、或いは他のデジタル広告媒体に支払う金額だけではなく、価格設定や購入要求を調整することができるようにする。
【００３５】
本原理のウェブマッチングエンジンは、単一の市場の中で、使われた費用の結果が直ちに追跡されて更なる購入を生み出し、もしくは別の広告形態への転向が生じる可能性がある各カテゴリ及び場所において、異なるタイプの公表者及び売手が、互いに価格及び実績を競い合うことを可能とする。この場合、ウェブマッチングエンジンは、可能性のある買手の身元や、特定の価格、及び希望する場合には匿名性を要するプロフィールを保持すると共に、全てのタイプの広告経路、発表機関、及びデータネットワーク、並びに全てのタイプの広告媒体に関し、全ての形態の広告の価格設定を有した詳細なデータベスを保持している。また、ウェブマッチングエンジンは、様々な製品カテゴリ毎に整列された広告媒体に支払われた最新の金額を表示する。更に、ウェブマッチングエンジンは、各広告或いは各購入注文について、全ての購入注文及び販売注文をユーザに提示すると共に、合致した注文及びその価格を示す。
【００３６】
本原理の方法は、様々な買手が、最適な販売結果を買手にもたらす広告スペースに一層確実に引き合わされるように努める。この結果、ウェブマッチングエンジンは、買手の出費を最小限にすると共に、売手によって最大限の収益が生じるような最適な合致が得られるように構成されている。ここで、ウェブマッチングエンジンに登録されている特定のサーチエンジン或いはウェブサイト上で、自動車というワードに関して特定の日に特定の価格を設定するというようにして、広告、ウェブ、及びブログの価格が変動するか否かが定まるのが市場価格の力学である。また、ウェブマッチングエンジンは、様々な媒体の適用によって実行されるカスタマイズされた直接的な取引を提供するように構成される。この結果、買手と売手とは、可能性のある顧客が存在しており、且つ経費に対する応答及びコンバージョン率を精度よく追跡できることが立証済みの場所に、自身の広告経費を集中させることができる。
【００３７】
一般的に、広告スペースの売手は、売手自身や、インターネット、ＴＶ、ラジオ或いは屋外広告掲示板などといった広告媒体の間で競い合う。これに対し買手は、同じカテゴリの買手の間で、特定のタイプの広告媒体において特定の時期に一層効果的であることがわかる可能性のある異なる製品カテゴリについて競い合う。このような情報は全て買手及び売手によって公表され購入され、買手及び売手が売買を最適化し、より良いインベントリのコンバージョン或いは現金への転換を生み出すことが可能となる。このような最適化は手作業によって行われるか、或いは、最適化が保証された別のネットワークの買手及び売手のための第三者による実績データのほか、自身の内部市場データを含め、このような情報の全てをダッシュボード及び予算配分マネージャに提示することによりなされる。この結果、特定の日や特定の設定時間などにおいて、買手は特定の広告媒体の形態に対し更なる料金支払いに同意する。最初に、ウェブマッチングエンジンはそのようなデータの照合と処理を行う。更に、本原理のウェブマッチングエンジンは、予め合意された契約条件のもとで、要求されたネットワークに、及び要求されたネットワーク経由で、あらゆる形態の広告コンテンツを第三者に向けて放送或いは供給するように構成されている。
【００３８】
ウェブ上では、グーグル、ヤフー、或いはマイクロソフトといった大規模なネットワーク会社によって広告の設置が管理されており、このことは広告主の利益に対して不都合であり、或いは買手と売手との間で広まっている。これらの会社は自身の利益を最適化するという唯一の目的によって運営され、ブラックボックスとして機能し、自身の利ざやを最適化するために全ての関係者からの市場情報を覆い隠している。グーグルやヤフーとは異なり、本原理のウェブマッチングエンジンは、広告主が互いに入札しあうようなブラックボックスではなく、公表者が互いに入札しあうものである。むしろ、市場データ及び評価データが、広告媒体の区分、バナー、スペース或いはキーワードについてのリアルタイムの価格及び有用性を定め、特定の広告媒体のタイプ或いは特定の日時についての、特定の日における妥当な価格の設定を容易にできるようにする。
【００３９】
本原理のシステム及び方法は、柔軟で絶えず変化し流動的なリアルタイムの広告市場を創造するための方策の提供に関する新たな技術を利用しようとするものである。このシステムは、売手に顧客への直接的な接触を提供する。更に、ウェブマッチングエンジンは、インベントリの価値の最大化を可能とし、広告或いは公開範囲に関する時間的制限或いは地理的制限をなくす。また、本方法及びシステムは、国や地域ごとに異なるコンバージョン価格或いはコストを有する可能性のある地域の市場に、売手が参入できるようにする。更に、本方法及びシステムは、買手が利用可能な広告の選択肢の数を拡大することによって、購入のための選択肢及び選択方法が最大化される。
【００４０】
また、買手は、ウェブマッチングエンジンによってカバーされた各地域の市場における市場価格及び広告媒体の有用性へのリアルタイムのアクセスが提供される。この場合、ウェブマッチングエンジンは、買手及び売手の双方の取引コストを低減し、小企業や新しいタイプの製品の広告を可能とし、以前は負担しきれない、或いは有用な価格ではなかった広告媒体を使用することができるようにすることで、全体としての消費額を増大させる。本原理の方法及びシステムは、あらゆる買手及び売手に対し、集中化され自動化された広告発注、注文確認、送り状発送、報告及び料金請求を行う。この結果、買手及び売手は、不良売掛金に関するリスクに接することなく、比較的容易に多くの当事者と取引を行うことが可能となる。
【００４１】
本原理は、様々な形態のハードウエア、ソフトウエア、ファームウエア、特定用途のプロセッサ、或いはこれらの組み合わせにおいて実行可能である。本発明は、ハードウエアとソフトウエアとの組合せによって実行されるのが好ましい。また、ソフトウエアは、プログラム記憶装置に具体化されたアプリケーションプログラムとして実行されるのが好ましい。このアプリケーションプログラムは、適切なアーキテクチャからなる機器にアップロードされ実行されてもよい。この機器は、１つ以上の中央処理ユニット（ＣＰＵ）、ランダムアクセスメモリ（ＲＡＭ）、及び入出力（Ｉ／Ｏ）インターフェースを備えたコンピュータプラットフォームで実現される。また、このコンピュータプラットフォームは、オペレーティングシステムとマイクロ命令コードとを有している。ここに述べる様々な処理及び機能は、オペレーティングシステムを介して実行されるマイクロ命令の一部或いはアプリケーションプログラムの一部のいずれか（もしくは両者の組み合わせ）であってもよい。更に、補助記憶装置や印刷装置などのような、ほかの様々な周辺機器がコンピュータプラットフォームに接続されていてもよい。
【００４２】
また、添付の図面に示されているいくつかのシステム構成要素及びステップはソフトウエアによって実行されるのが好ましいので、本発明のプログラムの方法によって、システム構成要素（或いは処理ステップ）間の実際の接続は異なったものとなってもよい。ここに与えられる教示により、当業者は本原理についてのこれら及びこれに類似する実行或いは構成を想起することができるであろう。
【００４３】
図１は、本原理の一実施形態に係るウェブマッチングエンジン１０を介した売手と買手の間の相互のやりとりを示す上位レベルのブロック図である。この例では、新たな追加情報の動的な加入について述べる。ここで述べる新たな追加情報は、マッチングエンジンの登録者に送られる新たな追加情報であって、このようなメッセージはＷＭＥからの広告とリンクされるか或いは広告が包含されており、広告サーバを介して配信される。
【００４４】
本システム及び方法は、公表されたデータを収集すると共に、サイト、会社、及び自身による追加や変更を公表しない公共情報源からのＲＳＳやその他の供給情報を収集する。そして、収集した公表内容及びデータを処理して一時的に保存し、或いはインデックスを付与し、登録者や買手及びウェブマッチングエンジン１０の取引先となる第三者によってなされるサーチ及びプロファイルクエリに照合できるように恒久的に保存される。特定のニュース或いは告知、及び特定の対象物になされる変更、或いは特定の会社によってなされる変更に関心のある登録者は、ウェブサイトに行き、そういった通知を特定の形式で、コンピュータ、携帯電話、個人用情報端末（ＰＤＡ）、或いはその他のウェブ接続可能なデバイスに送るよう要求する。
【００４５】
本原理によれば、ウェブマッチングエンジン１０が新たに加入された情報を受け取り、この新規加入情報を、別のプログラムを介して買手及び売手の要求に関連づける。買手１００は、ウェブマッチングエンジン広告サーバ１２に接続された買手側広告サーバ１６に接続している。
売手即ち新規情報の公表者は、ウェブマッチングエンジン広告サーバ１２、ウェブマッチングエンジン１０及び別のネットワーク１８と通信を行う自らのインベントリ管理システム１４を有している。これらのネットワーク１８は、インターネットをベースとしないネットワークを含んでおり、グーグルやヤフーなどのようなネットワークを含んでいてもよい。更に、インベントリ管理システム１４は、別のウェブサイトや、ＴＶ及びラジオなどが含まれる別の媒体２０に接続されている。
【００４６】
買手側広告サーバ１６は、買手の広告購入及び購入注文の経路手順を記憶して保持していると共に、広告購入に関するリアルタイムのコンバージョン情報を買手に提供するためのフィードバック情報をウェブマッチングエンジン１０から受け取る。売手１２０は、インベントリ管理システム１４によって管理されている広告スペースのインベントリを有している。このインベントリ管理システム１４は、ウェブマッチングエンジン、ウェブマッチングエンジン広告サーバ１２、他のネットワーク１８、並びにウェブサイト及び別の媒体２０に直接接続されている。インベントリ管理システム１４は、様々な広告媒体スペースのカテゴリにおいて販売している利用可能な広告媒体スペースを、売手１２０がほぼリアルタイムに監視することができるようにすると共に、インベントリの最も良好な現金への転換をもたらすようなネットワーク或いはシステムにインベントリを導くことができるようにする。
【００４７】
図に示すように、売手１２０及び買手１００は、ウェブマッチングエンジンに直接接続して本原理の自動化されたシステムをバイパスし、互いに直接作業を行うようにすることが可能である。
図２ａは、本原理の一実施形態に係るウェブマッチングエンジン１０の更に詳細なブロック図である。具体的には、このブロック図は、ある買手とある売手との間で、特定のカテゴリ或いはカテゴリグループにおいて、価格の合致結果及び達成されたＣＰＣ、ＣＰＡ或いはＣＰＭに関して行われる比較の例を示している。
【００４８】
ウェブマッチングエンジン１０は、例えば、獲得単価（ＣＰＡ）マッチングエンジン２５ａ、クリック単価（ＣＰＣ）マッチングエンジン２５ｂ、及び掲示単価（ＣＰＥ）マッチングエンジン２５ｃといった、様々なマッチングエンジン２５を有するものとして示されている。これらのマッチングエンジンはウェブをベースとするものであり、具体的な目的が示されている。本原理の主旨から外れることなく、別のタイプのマッチングエンジンを加えることが可能であり、例えば、マッチングエンジン２５は、ここに開示される原理に基づき、あらゆるデジタルネットワーク上において、デジタルグッズの販売と購入とを合致させるように構成することが可能である。
【００４９】
本原理のウェブマッチングエンジン１０は、広告売買を収集して合致させ、売買を実行して、広告を配信すると共に、売買の精算を行い売買に関する市場データを収集するように機能する。ウェブマッチングエンジン１０によって収集されるデータは、登録された買手及び売手による活動に基づくものや、サードパーティネットワーク１８及び／又は接続可能な他のあらゆる市場データ供給源から得られるものとすることができる。
【００５０】
例として図２ａを参照すると、売手１２０は参入したい或いは広告媒体スペースを利用可能にしたいと思うカテゴリ２４を一覧表示する。例えば、売手１２０はウェブ及びラジオにおいて、履き物に関連する製品のための広告媒体スペースを有しているとする。買手１００は、自身のスニーカを取り引きするためのスペースを探していると入力し、特にウェブ及びラジオでの広告に関心があると表明したとする。そこで、ウェブマッチングエンジン１０は、本原理のシステムの一部（或いはシステムの登録者）となった全ての売手１２０のそれぞれについて、買い手の要求を広告媒体スペースのインベントリと比較照合する。この例において買手１００は、利用可能となるウェブ広告について、この特定の売手及び他の多数の売手からＣＰＡ、ＣＰＣ、或いはＣＰＥの価格オプションを提案される。履歴データベース２８，２８，２９から関連情報を収集することにより、買手には買手のカテゴリで買手が選択しようとする市場における成果及び適用可能な価格レベルに関連するＣＰＡ、ＣＰＣ、及びＣＰＥの情報が与えられる。買手は選択作業に移行し、買手が特定の売手にリンクするか、或いはシステムに対しそのようなリンクを自動的に行わせる。更に、ウェブマッチングエンジン１０は、要求されたラジオ広告についてもこの買手と売手とを合致させる。この組合せは、より直接的に行われ、ＣＰＡ、ＣＰＣ及びＣＰＥに関するウェブプログラムは含まれない。このような取引情報は記録され、取り引きされた製品及びカテゴリに関する価格設定及び有用性を別のものが参照する際に利用される。
【００５１】
マッチングエンジン１０は、買手側履歴データ２７及び売手側履歴データ２９を有している。買手側履歴データ２７は、広告媒体スペースについて実施される各取引の際に買手から直接情報を得ると共に、サプライチェーン２６や他のサードパーティネットワーク１８から関連する情報を集め、市場で利用できないものも含め全ての選択肢が、買手に提供されるようにする。買手側履歴データ２７及び売手側履歴データ２９は、ウェブマッチングエンジン内に集められる（２８）ことにより、買手の注文と売手の広告媒体スペースとの合致処理を行っているときにできるだけ多くの情報をエンジンに供給し、マッチングエンジンが内部インベントリ及びサードパーティネットワークを含む全てのオプションを最適化することができるようにする。また、このようなデータは、価格設定情報やカテゴリ情報を変更して市場における他の売手及び買手との競争を優位に行うために、両当事者によって利用される。買手の最低限の要求及び売手の最低限の価格設定を変更することによって、より良い合致結果が得られると共に、より高い収益が生み出される。
【００５２】
本発明の特徴によれば、ウェブマッチングエンジン１０は、人工知能（ＡＩ）、ユーザフィードバック、デジタルオブジェクト識別子（ＤＯＩ）のリンク、ウェブサービス、ｘｈｔｍｌタグ、或いはその他のツールを利用して、システムにおけるクエリーに情報の流れを調和させる能力を強化すると共に、ウェブマッチングエンジン１０によって集められた関連情報に買手１００のクエリーを優先して集中できるようにシステムが自ら鍛錬するようにしてもよい。一般的に、比較エンジン或いはその他の自動化されたシステムは、利用中の所定の時期にウェブマッチングエンジン１０にアクセスする数百万ものクエリーを有している。より強化された合致サービスを顧客に提供することにより、商品やサービスに対するコンバージョン率が他のウェブ広告システムより優れていれば、ユーザ或いはエンジンは相当の収益を生み出す可能性がある。
【００５３】
本原理のウェブマッチングエンジン１０は、プレスリリースやウェブサイトを介するような従来の情報提示方法に代わるものを公共に提供する。一般的に、そのような情報は情報を受け取る人が実際にそれを読むことを期待して提示される。本原理によれば、ウェブマッチングエンジンを介してデータを公表するための優れた根拠を公表者や独自情報の供給源に提供するシステムによって従来のシステムが置き換えられ、製品告知、価格や販売促進の告知、新価格、ソフトウエア、或いはサービスリリースは、利害関係者に対してのみ提供することができるようになる。登録者の関心と合致するコンテンツが見つかると、登録者によって承認された機能が実行される。例えば、この機能は、プレスリリースに関するリンクが、そのような情報の受け取り、プログラム又はサービスのデモの読み込みに関心を示した特定の登録者に供給するものであってもよい。マッチングエンジン１０が、ほかのユーザのリアルタイムのランキング情報を提供することにより、登録者はサービスの購入或いは試用に関する関心の度合いを即座に判断することができる。
【００５４】
本原理によれば、ウェブマッチングエンジン１０或いは別の収集プログラムに特定のキーワード或いは対象物を示すことにより、最小限の労力と極めて低いコストで、数百万の情報源の継続的な監視を行うことが可能となる。通知は、ワイヤレスデバイス、ＰＤＡ、コンピュータなどの様々な通信デバイスに対して極めて即座に行うことが可能である。本原理によれば、メッセージ或いはサービスは様々な形式で現れ、電子メール、インスタントメッセンジャー、ショートメッセージサービス（ＳＭＳ）、及びブルームバーグターミナルなどの既存の標準的な所有システムに対応するものである。
【００５５】
また、ウェブマッチングエンジン１０は、登録者が、履歴データベース２７に蓄積されている登録者のアカウント、クエリー、予算、プロフィール、履歴、及び優先順位を管理することができるようにするクライアントソフトウエアインタフェース及びパーソナルウェブログを提供する。更に、ウェブマッチングエンジン１０は、ユーザの記憶装置を、発見された全ての関連情報と同調させる。この結果、登録者は、最も関心のあるトピックについての最新のデータが継続的に供給され、ネットワークへのアクセスやコンピュータの使用を必要とすることなく、直ちに自らのデバイスにアクセスすることができる。登録者には、選択したトピックについてのビデオ及びデータを含む、最新から６０日分までの情報が供給されるのが好ましく、登録者がオンラインを利用可能であるときにはウェブマッチングエンジンが登録者のデータと同調しているので、登録者はインターネット接続を行うことなくこれらのビデオ及びデータにアクセスすることができる。
【００５６】
多くのウェブサイトは、クローラや非登録者が内部データにアクセスするのを許容していない。このため、ウェブサイト上の情報の大部分は、サーチエンジンでアクセスすることができない。これに対し、本原理のウェブマッチングエンジン１０は、本来利用できない特定の情報の収集、加工、及び特定の登録者への通知を行う際に、信頼できるパートナーとして機能する。ここで、ウェブマッチングエンジン１０は、個々の情報源が処理するのは経済的ではないような微細な支払いを必要とする大量の取引を処理するための精算施設としても機能することができる。マッチングエンジンは、利用客との関係は有していないもののサービスに対しての料金請求を希望する数百万の小規模な公表者或いは情報提供者のために、ログイン、セキュリティ、及び登録者情報の検証を管理することができる。本原理の一実施形態においてウェブマッチングエンジン１０は、ユーザが公表者のウェブサイトにリンクしたり実際に訪問したりするためにウェブマッチングエンジンによる通知を利用した場合に、公表者のオリジナルのサイト上の広告或いはより有効なコンテンツを処理して配信する。
【００５７】
本原理の別の実施形態では、情報の流れが、コンテンツの創作者、広告クエリーの収集者或いは取引者、並びにウェブマッチングエンジン１０の登録者及び広告主に対して利益が生じるように利用される。マッチングエンジンは、広告を引き出したキーワード或いはイベントに対する購入提案及び販売提案に関して価格設定の完全な透明性を提供する。このような透明性は、そのキーワードに関心のあるユーザにたどり着くための市場価格がどの程度かを知らずに広告主が盲目的にキーワードに入札するようなシステムが適用されたグーグル、ヤフー、及び他のサーチエンジンといった収集者の必要性を劇的に低減する。このような入札は、サーチエンジンによって得られた無料のサーチ結果と並列して供給される商用リストに掲載され、サーチエンジンに極めて高いマージンを提供する。但し、情報提供者及びサーチエンジンの利用者は、収入を得たり、サーチエンジンによって請求された料金の一部を得たりすることはない。また、グーグルは、サーチを行う人、及びその購入或いは取引に携わる本来の意図について、限られた知識しか有していないので、キーワードの「ヒット」を改善するための、キーワードに関する買手の能力は限られている。
【００５８】
これに対し本原理のウェブマッチングエンジン１０は、公表者、収集者、登録者、及び情報提供者が、ウェブマッチングエンジンによって請求された料金の一部を受け取ることができる上、マッチングエンジンは支払額と広告主から収集した金額との差額ではなく、取引手数料を請求するので、特定のリストに対し、或いは特定の取引に対して買手及び売手が支払いたいと思っている、或いは支払われたいと思っている真の金額を得ることができる。このような全面的な開示は、広告主に一層低い価格を速やかに提供すると共に、日々のクエリーに対して支払いがなされることに満足する多くのユーザを集める。別の実施形態では、マッチングエンジンによって実行された取引に関する統計的な利用情報の収集及び販売がもう１つの収入源を提供する。金融機関及び金融仲介者を含む多くの支払い元は、製品、会社、価格及びサービスに関する傾向を示す初期の指標としてそのような情報を利用することができるので、情報を購入しようとする。この場合、ウェブマッチングエンジン１０は、そのような情報の全てを第三者が有料で利用できるようにする。
【００５９】
本原理によれば、登録者が関心を持つカテゴリの詳細なリストが管理され、登録者の要求に関連したトピックがインターネット上に出現するたびに、先行する通知及びそのようなデータの一覧が買手１００に提供される。この結果、広告主及びデジタルグッズを販売する企業は、より的確に可能性のある顧客を対象に捉えることが可能となる。更に、登録者に対していつ何を送るかのカスタマイズが行われる。また、第三者或いはウェブマッチングエンジン１０によって生じた特定のイベントに基づき、異なるメッセージ及び異なる価格が送られる。例えば、本原理のシステムは、災害というイベントに関するニュースがウェブマッチングエンジンを通過した場合にのみ、「災害」という言葉を登録している全ての登録者に対し、生命保険に関する広告が送られるべきであることを、広告主がマッチングエンジン１０に指示できるようにする。同様に、競合社からの製品に関するニュースリリースや掲示がウェブマッチングエンジンを通過するたびに、特定価格の特定の広告が送られるように製造会社が要求するようにしてもよい。この場合、この通知は、製造会社によって認められたプロフィールを有する特定の登録者の集合に対してのみ送られるようにしてもよい。
【００６０】
また、ウェブマッチングエンジン１０は、イベントを結びつけて手がかりを作り出す。例えば、家を移る人が、新しい場所に付随する情報の受け取りに関心があることをウェブマッチングエンジンに示したとする。この場合、引っ越し業者、貸付銀行、保険代理店、地域の商店、及び登録者が必要とする可能性があるものの登録者が考えてはいない可能性のある他の関連業者からの好適な申し出についてリストが作成される。マッチングエンジンは、登録者が一連の活動を完了した人を対象に捉え、特別な宣伝やマーケティング活動の対象として、これらの人々のみを選択することができるようにしてもよい。登録者は、特定の申し出の価値を確認するためにウェブマッチングエンジンを使用する方法として、広告主によってなされたあらゆる提案についての有用な情報を、ウェブマッチングエンジンが常に提供するように要求するようにしてもよい。
【００６１】
本原理の別の実施形態によれば、ウェブマッチングエンジン１０は、カスタマイズされた通知を行うため、及びインターネットや第三者からのアラーム情報や通知情報を収集する取り纏め機構のようなダッシュボードを創作するために、情報提供者或いは第三者によって使用される。この場合、登録者は最も高い順位に位置付けられるように要求することが認められており、通知が送出される順番に影響を及ぼすと共に、メッセージが別の競合する登録者に送出されるまでの、登録者が要求することのできる時間遅れにも影響を生じる。
【００６２】
本原理の特徴によれば、広告主（即ち買手）は、複合的なタグ、リンク、トリガ及びその他のコード形式を挿入して、マッチングエンジンによって送られた広告主の提案とのユーザの相互のやりとりを追跡することにより、自身のシステム上にある実際の注文に広告を合致させ、新規注文あたり或いは新規顧客あたりのコンバージョン率及びコストを高い精度で計測することが可能となる。広告主のサプライチェーンや内部システムからウェブマッチングエンジン１０に、そのような結果を直接的にリンクさせることにより、広告主は、低いコンバージョン率のグループやユーザへの予算の投入を自動的に取り止め、高いコンバージョン率を有するリード、通知、イベント、及びトリガに対して予算を投入すると共に、そのようなデータに高い信頼性をもって依存することが可能となる。
【００６３】
各実施形態では使用状態の一部のみを説明しているが、ウェブマッチングエンジン１０は、世界中で発生するイベント及び変化についての通知を必要とする企業や個人に提供されるものであってもよい。例えば、別の実施形態において、ウェブマッチングエンジン１０は、登録者への通知や登録者管理の外部委託を求めている他の多くのサーチエンジンやウェブサイトへの情報交換用サードパーティウェブサービスとして機能するようにしてもよい。この結果、効率的で管理された通知システムが完成し、このシステムにより、通知及び情報提供のための簡易化された扱いやすい個別のポータルサイトを提供する。このような解決策は、既存の電子メールやＩＭプログラムと結合し、統合メッセージシステムを提供するようにしてもよい。この場合、ウェブマッチングエンジン１０は、あるワイヤレス登録者から別のワイヤレス登録者に送られるコンテンツ中に、関連する広告やキーワードバナーを置くことにより、ワイヤレスデバイス用の無料インスタントメッセージの供給に利用することができる。この結果、本原理のシステムは、送信者と受信者とがシステムを介して送られる各メッセージに対して料金を支払うＳＭＳシステムに取って代わるものとなる。同様に、インスタントメッセンジャ或いは他のプログラムは、ウェブサービス或いはｘｈｔｍｌを介してウェブマッチングエンジン１０にリンク可能となり、広告やコンテンツを買手１００或いは登録者に供給するために使用することができるようになる。
【００６４】
別の実施形態においてウェブマッチングエンジン１０は、ある公表者に対してそのデータに料金を請求する一方、別の公表者に対してはそのデータに料金を支払うようにすることもできる。例えば、プレスリリースを発行する会社は、マッチングエンジンにそのデータを提示することに対して料金を支払わなければならない一方で、そのようなニュースリリースについての記事を書いた新聞社は、そのデータの提示に対してウェブマッチングエンジンから料金の支払いを受けるようにすることができる。同様に、ウェブマッチングエンジンへの登録者は、特定の情報供給源からの通知の受け取りに対して料金を支払う一方で、他の情報供給源からの通知が読まれるたびに料金の支払いを受けるようにすることもできる。この場合、情報交換機構１０の機能は、収集、処理、通知を行うと共に、関係者によって取り決められて事前に合意された料金規定に基づき、マッチングエンジンによって生じた各取引に伴う金銭的取引を精算することにある。
【００６５】
ウェブマッチングエンジン１０によって行われる合致は、より一層優れた合致結果とＥＣＰＭ、即ち１０００回ヒットあたりの効果的コンバージョンとを得ようとする複数のアルゴリズムに基づいて実行することが可能である。マッチングエンジンは、クリックあたり或いはバナーあたりに公表者に支払われる料金が最も高くなる最善の方法を見出そうとする一方で、ウェブ上で利用可能な他の全てのオプションと比較して最高のＥＣＰＭが得られるサイト及び特定ページに合致する広告を提供する。
【００６６】
ウェブマッチングエンジンのアルゴリズムの１つは、広告主が提供する製品或いはサービスに基づき全ての広告主をカテゴリに分類し、システムにおいて実行された取引の履歴から、そのようなカテゴリを、当該カテゴリについての過去の平均ＥＣＰＭと照合する。このような実績は、そのカテゴリにおけるあらゆる広告主が、システムに提示されたプロフィールに対応した平均ＥＣＰＭを上回るＥＣＰＭを確実に獲得できるようにするため、広告設置の動的な管理に使用される。
【００６７】
このような管理は、そのカテゴリにおいて一定のＥＣＰＭを達成することが可能な選抜グループに、全てのウェブ及びその他の利用可能な媒体スポットを区分する。取引量が増大するにつれ、そのような合致の有用性も増大する。広告主がより広範な掲示を必要とする場合、或いは予算を投入するのに十分なサイトを見出すことができない場合、広告主はそのＥＣＰＭを低下させることができる。公表者（即ち売手）のサイトでは、公表者が各製品カテゴリについてのＥＣＰＭの結果を見て、自らのサイト及びコンテンツを修正し、グループ内におけるＥＣＰＭのランキングを改善し、或いはインベントリをより良好に現金に転換可能となる別の商品カテゴリの追加或いは切り換えを行うことが可能である。このような情報の全ては、両者において包み隠さず利用可能であり、継続的に完璧な状態となるまで改善を行うことが可能である。
【００６８】
このシステムは、収入源の一部として、そのような情報へのアクセスに対して料金請求を行うことができる。公表者は、過去の取引データから得られた全カテゴリのＥＣＰＭに基づき、システムによってランク付けされる。このシステムは、公表者が料金請求可能な最高額を公表者に推奨すると共に、各カテゴリにおける他の全ての公表者に対して当該公表者が占める位置を示すようにしてもよい。このシステムは、個々の公表者サイト、バナー、或いは各カテゴリにおける全リスト及び順位を、広告主が匿名とせずに閲覧することができるようにするが、予算を投入するための注文だけを自動的に行って、公表者の選択をシステムに行わせることもできる。一方、公表者は、各カテゴリにおける予算やＥＣＰＭの結果を閲覧することが可能であるが、広告主やその身元を確認することはできない。
【００６９】
図２ｂは、本原理に係る一実施形態のウェブマッチングエンジン１０の展開図である。具体的には、図２ｂは、ウェブマッチングエンジン１０の２つの機能レイヤを示し、取引管理レイヤ３１及びサービス管理レイヤ３２からなる広告売買レイヤ５０と、サービス提供レイヤ５２とが存在する。買手１００及び売手１２０、並びにそれぞれの広告サーバ１４８及び１２６は、ウェブマッチングエンジンの関係者或いは登録者である。買手１００及び売手１２０は、ウェブ売買インターフェース３３及びサービス提供レイヤ５２を介して広告売買レイヤ５０と接続される。ウェブインターフェース３３は、売手及び買手が注文を出すことができるようにすると共に、キャンペーンの状態、並びにキャンペーンに関する金銭的情報及び実績情報を閲覧することができるようにするウェブサイト或いはウェブベースのアプリケーションであるのが好ましい。レイヤ５０及び５２のそれぞれは、買手及び売手によって行われるあらゆる取引のそれぞれに関連した情報を収集するデータウエアハウス３４に接続されている。広告売買レイヤ５０の取引管理レイヤ３０には、注文管理、注文と予測される買手との照合、請求書発行、決済と精算、評価及びリスク管理、報告、並びに金融会計が含まれている。サービス管理レイヤ３１は、データ収集、合致案の生成、媒体及び／又はデジタルグッズの移動指示発行、追跡及び報告処理、使用状態調整、品質管理、並びにトラブルチケット処理を行う。サービス提供レイヤ５２は、広告媒体及び広告サーバ、提案されるデジタルグッズ、証明及び認証管理、セキュリティ及び資格管理、並びにそれぞれの市場ネットワークや市場ユーザへの配信及び報告が含まれる。
【００７０】
図２ｃ及び２ｄは、本原理の一実施形態に係る図１のウェブマッチングエンジン１０によって収集された情報の処理を示すブロック図であって、ここでは新たに追加された情報が処理されてシステムのユーザに提供される。
図２ｃ及び２ｄを参照すると、情報供給源及び公表者１０１７ａ、１０１７ｂ、及び１０１７ｃからのコンテンツが収集され、メッセージロジックフローモジュール１０２１に供給される。このメッセージロジックフローモジュール１０２１は、情報供給源、コンテンツ、優先順位、サイズ、関連性及び独自性を判定する。本原理の別の実施形態では、履歴情報、関連情報、情報の重要度の順位、情報の独自性などといった別の特質がメッセージロジックフローに追加される（図５及び対応する説明を参照）。全てのメッセージ情報が、ウェブサイトのリンクを有して供給されるＸＭＬ及びその他のプロトコルの情報から得られるため、このようなことが可能となる。
【００７１】
ウェブマッチングエンジンデータベース１０２２、即ちメモリに格納されたハッシュテーブルが、クエリ及びカウンタ値と、インデックス及びカウンタモジュール１０１５における統計分析データとの保存に使用される。この情報フローにおけるデータは、ウェブマッチングエンジンデータベース１０２２にある別の情報（例えば、インデックス及びカウンタモジュール１０１５内に保存された情報）と比較され、ウェブマッチングエンジン１０の別の部分に転送されるか、又は廃棄される。
【００７２】
情報仲介者１０２０のような情報交換者やその他の情報収集者は、ウェブマッチングエンジン１０と付加的な情報を交換することが許されている。コントローラ１０２４はウェブマッチングエンジン１０と統合されているのが好ましい。情報収集者１０２０は、ユーザ１０１２への連絡とコンテンツの配信を確認して処理するコントローラ１０２４によって管理される。コントローラ１０２４は、連邦政府からの通知或いは重大な警告報道のような公共の利害に関わる情報であると判断した場合、メッセージフローロジック１０２１からメッセージエンジン１０２５に特定の情報を直接的に流すことができるようにしてもよい。また、コントローラ１０２４は、ユーザ１０１２の認証や、ユーザの好み、アクセス権、及び特定情報に対する支払いの管理に使用される。
【００７３】
ウェブマッチングエンジン１０のメッセージフローモジュール１０２１によって情報内のコンテンツが処理された後、合致するものや関連するリンクを見出すために、インデックス及びカウンタモジュール１０１５内に登録されたテキストインデックス及びデータベースサーチに対し、特定のセットのサーチがテキストサーチ及び構文解析エンジン１０２５によって実行される。合致結果は優先順位エンジン１０２６に供給され、優先順位エンジン１０２６は、ウェブマッチングエンジンデータベース１０２２のクエリディレクトリ１０２３に保存されているユーザクエリを用い、ウェブマッチングエンジンデータベース１０２２のランキングディレクトリ１０２８に保存されているランキングに基づき、サーチ結果の順位付けを行う。また、優先順位エンジン１０２６は、ランキングされた結果をウェブマッチングエンジンのアドミニストレーションモジュール１０２７に転送し、資格及び信用状態についての通知を必要とする登録者の身元を確認するために請求書発行、精算、通知及び報告に関する情報を保存している料金請求及び精算データベース１０３０にアクセスする。また、データベース１０３０は、取引についての適切な当事者に対する料金請求、集金、及び信用貸しといった精算に関する全ての機能を実行する。ウェブエンジンの同一の関係者がある取引で料金請求され、次の取引では支払いを受ける可能性があるが、その場合にはウェブマッチングエンジンによってその料金及び信用貸しをひとまとめにすることもできる。
【００７４】
優先順位エンジン１０２６は、サーチ結果をメッセージエンジン１０２５に転送し、このメッセージエンジン１０２５は、このサーチ結果を、ウェブマッチングエンジンデータベース１０２２の広告レジストリ１０２９に保存されている特定の広告、或いは他の外部広告及びサーチ結果と組み合わせ、登録者によって要求されたフォーマット及びスケジュールで、内部のウエブログ、外部の電子メール、ウェブエージェント１０３２、通信デバイス１０３１、及び／又はサーバ１０３３といった所定の送り先に転送する。送られた通知には、関係する当事者に対して異なる価格設定がなされるような異なる組み合わせや内容が含まれていることから、メッセージエンジン１０２５は、料金請求及び精算データベースを更新し、通知を送付した結果として、誰が何に対して料金請求され、誰が信用貸しされるべきかを確認する。従って、ウェブマッチングエンジンは、今日の固定的な広告環境とは異なり、取引のそれぞれについてリアルタイムの価格設定を可能とする。
【００７５】
要求されたコンテンツが利用可能となったとの通知を登録者が受け取った後、マッチングエンジンの様々な処理モジュールによって料金請求記録が生成され、料金請求及び精算データベース１０３０に送られることにより、リアルタイムの精算及び料金請求情報が内部利用のためだけではなく、ウェブマッチングエンジン１０の外部ユーザによる利用のために生成される。なお、例えば登録者が、ウェブマッチングエンジン１０を使用して全ての公表されたデータを収集するサーチエンジンであるが、マッチングエンジンからの情報やいかなる広告の受け取りに対しても料金請求されない場合には、上述のステップのいくつかは省略するようにしてもよいことを特筆する。
【００７６】
本原理によれば、登録者は、コンピュータ利用デバイス１０３１、サーバ１０３３、或いはウェブエージェント１０３２を介してウェブサイト１１に入るようにしてもよい。コンピュータ利用デバイスは、ＰＤＡ、コンピュータ、携帯電話、或いはその他のウェブ利用可能デバイスであるのが好ましい。
入力されたサーチデータは、ウェブマッチングエンジン１０によってマッチングエンジンデータベース１０２２内の複数のモジュールに振り分けられ、トラフィック量のような過去の結果と比較される。本原理によれば、入力されたサーチデータの頻度、及び将来そのような情報を提供する可能性のある情報供給源についてのその時点におけるフィードバックが登録者に提供されるようにしてもよい。そのとき登録者は、要求の変更或いは入力の確認を行うことができる。入力の確認をすると、マッチングエンジンデータベース１０２２内の複数のモジュール或いはデータベースは、料金請求及び精算データベース１０３０内の利用可能なデータと組み合わせて、そのようなクエリを無料とすべきか、或いは料金請求すべきかを判断し、その判断結果を登録者に通知する。両当事者によってその取引が受け入れられると、マッチングエンジンデータベース１０２２内の全ての関連する保管場所が更新され、情報供給源内にある情報提供者１０１８、並びに公表者１０１７ａ，１０１７ｂ，１０１７ｃ、並びに情報収集者及び情報仲介者１０２０からの全ての新規情報を合致させようとする。合致した場合には、関連する広告及びその他の情報が組み合わされ、関連する登録者に配信される。
【００７７】
広告主１０３４は、ウェブサイト１１に入り、関心のあるキーワード、トリガーイベント、ユーザのプロフィール、或いは最小数のユーザグループを確認することもできる。この場合、登録者は、過去のトラフィック量と、確認したカテゴリに関して別の広告主によって支払われた金額とを閲覧することもできるし、特定の条件下で広告或いは通知を開始し、或いは通知の受け取りに対して高い金額を支払う可能性のある特定のユーザもしくは利害関係のあるグループに加えられるように、複合的な指示をアドミニストレータモジュール１０２７に提示することもできる。そのような入力は、ウェブマッチングエンジン１０、マッチングエンジンデータベース１０２２、並びに料金請求及び精算データベース１０３０によって処理される。この入力は、ウェブマッチングエンジン１０上での合致と広告主による出費とを最適化するため、継続的に監視される。このようなシステムにより、広告主とユーザもしくは買手との間の需要と供給についてのバランスは市場ベースで定まり、成果やヒットの価格設定とは無関係にキーワードに対して行われる不自然な価格設定によってではなく、コンバージョン率によって左右されるものとなる。
【００７８】
図３は、本原理による方法の工程を示すフローチャートである。この方法は、ステップ３５に示されるように、ウェブマッチングエンジンに新たなデータがアップロードされたときに実行される。この場合、新たなデータは、情報提供者或いは管理者１０１８によってウェブマッチングエンジン１０にアップロードされたコンテンツである。新たなデータは、公表者１０１７ａ、新たなネットワーク１０１７ｂ及び／又はウェブサーバ１０１７ｃ、或いはその他の情報供給源（ＩＰ）に対して利用可能とされる。
【００７９】
ステップ３６に示されるように、サーチクエリはユーザ１０１２或いはシステムへの登録者によってシステムデータベースに入力され保存される。この場合、ウェブマッチングエンジン１０は、無差別のデータ供給の中で、別のプログラム、仲介者或いはデータ収集者、もしくはサーチエンジン１０１４を介して要求を受け取る。この要求は、ユーザがワイヤレスデバイス或いはコンピュータを操作している間、もしくはブラウザ即ちインターネットを用いてサーチが行われるたびに、オペレーティングシステムによって生成されるようにすることもできる。ユーザ１０１２は、将来行われるそのようなサーチにおける新たな結果について通知されることを希望するかどうかを問われるようにしてもよい。この申し出が受け入れられた場合には、ユーザのデバイス、即ちコンピュータ、ウェブサービス、或いは使用されたサーチエンジンによって提供される、広告データベース１０１６に記憶された広告のような別の情報にクエリが結合される。この場合、広告主は、ウェブサイト１０１１及びシステムデータベース１０１３を利用して、ウェブマッチングエンジン１０と、対象となる視聴者に特定の広告及び情報を配信するパートナーとに対し、入札及び契約の提示を行う。
【００８０】
結合された情報は、ユーザのプロフィール、事前に入力されたその他のユーザ情報及び／又はサーチ結果のランキングに基づき複合クエリに変換される。この新しいクエリは、予め設定された「固定的な」クエリとしてシステムデータベース１０１３に入力され、ウェブマッチングエンジン１０によって利用される。
ウェブマッチングエンジン１０は、ステップ３７に示されるように、情報提供者或いは管理者１０１８によって新たな情報がウェブマッチングエンジンに追加されたか否かを判定するため、アップロードされたデータを継続的に監視する。次に、ステップ３８に示されるように、ウェブマッチングエンジン１０はユーザ１０１２或いは登録者によって入力された固定的クエリのリストと集められた新たなデータのそれぞれを比較し、ユーザ１０１２によって入力されたクエリに合致する新規データのコンテンツを探し出す。合致するものがない場合には、ステップ３７に戻り、ウェブマッチングエンジンがアップロードされたデータの監視を再開して、新たなデータがウェブマッチングエンジン１０に追加されたか否かを判定する。
【００８１】
合致するものがあった場合、合致する新規データのコンテンツは、メッセージエンジンがウェブリンクに変換する前、又はメッセージエンジンがインデックス及びコントロールモジュール１０１５（図２参照）に保存されている他の統計データ或いは関連データと結合する前に、ロジックフローを介して分析され、テキストサーチが行われ、優先順位が与えられる。
【００８２】
この段階で、ウェブマッチングエンジン１０は、登録者のクエリ、或いは登録者のプロフィールに送られたトピックに基づき、第三者によって提供された広告或いは販売促進情報を添付するようにしてもよい。更に、ウェブマッチングエンジン１０は、登録者及び情報を提供した第三者に対し、広告主が通知に対して最初に関与する権利への入札を行う動的な取引の手数料として、合意した額の料金を請求してもよい。
【００８３】
次に、ステップ３９に示されるように、合致したコンテンツはウェブマッチングエンジン１０を介してクエリを発した登録者或いは代理店（例えば仲介人など）に送られる。この情報は、特定の形式でユーザ或いは登録者のコンピュータ、携帯電話、ＰＤＡ、或いはその他のウェブ利用可能デバイスといった特定のデバイスに配布される。
図４は、本原理による方法の代替工程を示すフローチャートである。この方法は、ステップ４０に示されるように、新たなデータをサーチする際に実行される。新たなデータが発見されると、新かなデータは集められて一時的に保存され、インデックス付与の処理が行われて恒久的に保存されることにより、これらの情報を、ウェブマッチングエンジンの登録者によって入力された各サーチクエリ及びプロフィールクエリと照合することが可能となる。
【００８４】
そして、ステップ４１に示されるように、集められたデータは新たなカテゴリに分類される。次に、ステップ４２に示されるように、広告及び関連するデータがこの新たなカテゴリに加えられる。この場合、広告は、ウェブサイト１０１１及びシステムデータベース１０１３を利用して、ウェブマッチングエンジン１０と対象となる視聴者に特定の広告及び情報を配信するパートナーとに入札及び契約を提示した広告主によって前もってシステムに置かれた広告である。
【００８５】
ステップ４３に示されるように、予め入力されたクエリに基づき、ユーザ或いは登録者に警告が送信される。この場合、上記結合された情報は、ユーザのプロフィール、事前に入力されたその他のユーザ情報及び／又はサーチ結果のランキングだけではなく、ニュース、キーワード、及び価格或いは特定グループ内の全体的なユーザの変化といった第三者のトリガイベントに基づき、複合クエリに変換される。
【００８６】
ステップ４５に示されるように、広告の配信及びアクセスに関する統計が生成される。そして、ステップ４６に示されるように、各ユーザによる購入及び支払いの計算が行われる。この場合、マッチングエンジン１０は、広告主及び第三者が支払うべき金額、並びに公表者或いはユーザに支払われるべき金額を、マッチングエンジンに公表されている事前合意された条件に基づき計算し、各ユーザアカウントに記入する。
【００８７】
次に、ステップ４７に示されるように、コンテンツ提供者及びユーザに料金請求が行われ、ステップ４８に示されるように集金が行われる。この場合、料金請求及び精算データベース３０が、料金請求、集金及び取引に対する適切な当事者への信用貸しといった全ての勘定処理を行うために使用される。
図５は、本原理の好ましい実施形態に係るシステムの概略ブロック図である。図５乃至１０に示された実施形態は、売手によってネットワークに新たに追加された情報を提示するだけではなく、数日、数週間或いは数ヶ月前に追加された可能性のある既存の固定的な情報との比較を行うものである。このようにして、広告の設置における待ち時間の低減を可能とし、より合理化された買手と売手との相互のやりとりをもたらすような完全に自動化されたシステムを提供することが可能となる。例として、図５は広告売買レイヤ５０及び提供レイヤ５２を示している。広告売買レイヤ５０は、本原理のウェブマッチングエンジンによって設けられた広告マーケットプレース１８０を有している。広告マーケットプレース１８０は、ウェブマッチングエンジン１０、売買及びインベントリ用予備データベース１５０、履歴データ１５２、買手１００の購入注文１０２、予算配分マネージャ１４４、第三者による評価１４６、売手側インベントリ配分マネージャ１７０、並びに売手のためのＧＵＩであるダッシュボード１２４及び買手のためのＧＵＩであるダッシュボード１４２からなる。
【００８８】
自動化された実施形態において、買手１００がウェブマッチングエンジン１０に注文を提示し、注文が配信レイヤ５２を介して配信される一方、売手１２０が広告媒体の販売注文１２２及びインベントリ配分マネージャ１７０を介してウェブマッチングエンジンに注文を提示する。自動的な作動モードにある場合、システムは買手の予算配分に基づき、請求可能な最も高額の価格設定を計算することができる。このように、価格設定の動的な変化が発生する可能性があり、更なる収入が得られると判断される共に売手が広告媒体スペースの価格を設定中であると判断される場合には、実際に価格設定を増額するように機能する。自動化されていない作動モードの場合には、買手１００及び売手１２０は共に、ウェブマッチングエンジン１０に直接的に接続され、本原理の自動化された特徴を用いずに互いに直接取引を行うことができる。自動化されていない作動モードの場合、買手１００及び売手１２０はそれぞれ直接的に確認を行うことが可能である。例えば、買手はサプライチェーン１４０上で取引を見ることが可能であり、売手はダッシュボード／インベントリマネージャ１２４で取引を見ることができる。
【００８９】
売手は、ダッシュボード（即ちグラフィックユーザインターフェース、ＧＵＩ）１２４を有しており、自分の全ての売買データや、インベントリの評価基準を表す市場１８０における履歴データと比較したインベントリの現金への転換や実績を示す外部データを集積したものを閲覧するためにこのダッシュボード１２４を利用する。売手１２０は、広告媒体スペースの自分のインベントリや価格設定などを閲覧することができる。販売注文１２２は、例えば、ビデオ、広告、キーワード、ウェブバナー、ラジオ、ＴＶ、広告掲示板、特別な事項、及びその他のサイト或いは場所などといった多様な形態をとりうる。また、別の形態の販売注文１２２が本原理の主旨を外れることなく存在していてもよい。
【００９０】
買手１００は、自分のインベントリ、ウェブ販売、コールセンター及びその他の情報供給源からのコンバージョン情報を収集することができるようにするサプライチェーンソフトウエアを用い、広告を設置することに関心のある様々な広告媒体の抽出と選択をより適切に行うために、収集したデータを利用する。また、買手１００は、市場１８０及びその他の情報供給源から得られる自身の購入結果や、市場１８０に関する販売活動をリアルタイムに閲覧することが可能なダッシュボード（ＧＵＩ）１４２を有している。予算配分マネージャ１４４は、買手が提示したいと思う購入注文１０２のそれぞれについて、自身の広告予算を買手が管理し、データベース１５２からの全ての利用可能な履歴データだけではなく、市場の外にある別の選択肢とも比較できるようにすることで、最善の購入の決定がなされるようにする。購入注文は、バナー広告、キーワード、ビデオ、商品展示、クリックあたりの表示或いはコスト（ＣＰＣ）、獲得或いはコンバージョンあたりのコスト（ＣＰＡ）、ＴＶ、及びラジオのようなあらゆる形式でも行うことができる。予算配分マネージャ１４４は、例えば、ラジオの聴取率、ウェブの人気度、ＴＶ視聴率などを含む複数の第三者による評価システム１４６からの情報や、履歴データ／統計報告サービス１５２からの情報を受け取る。履歴データ／統計報告サービス１５２は、広告売買レイヤの予備データベース１５０に直接接続されて等級及び統計情報を供給すると共に、等級付け業者と予算配分マネージャ１４４とに直接接続されている。また、履歴データ／統計報告サービス１５２は、提供レイヤ５２の広告サーバ１３０に接続されており、広告サーバ１３０からの処理を開始する。提供レイヤ５２は、買手１００、市場１８０、及び売手からの指示を待ち受け、広告市場１８０或いはその外部を介した買手と売手との間の取引が完了すると、広告或いはその他のデジタルグッズの配信を開始する。
【００９１】
自動化された実施形態の場合、買手１００は、予算配分マネージャ１４４を用いて作業を行うオプションを有しているが、買手がシステムを用いずに手動で作業したいと考えるときには、買手１００が売手に直接接続されるだけでなく、ウェブマッチングエンジン１０及びその他のネットワークにも直接接続されることにより、非自動化された方法、即ち手動で作業を行うことができる。買手及び売手は、システムの一部を継続して利用し、別の取引に市場１８０を利用しながら、このような関係を最適化することもできる。このような形態では、市場１８０がそのような全ての外部取引の情報を収集し、売手及び買手に対して現金への転換及びコンバージョンを増大するべく、継続して関係を最適化するためにこの情報を利用する。
【００９２】
提供レイヤ５２には、売手１２０が、例えばウェブ、ラジオ、ＴＶなどの複数の売手側広告サーバ設備１２６を有しており、これらの広告サーバ設備１２６は、買手或いは広告データベース１３０が広告或いはデジタルグッズの保存及び配信のために使用できるようになっている。売手側（広告サーバ）設備１２６によって発信された情報には、履歴データ／統計報告ユニット１５２に伝達される取引情報を含めることができる。この取引情報は、ウェブ、ＴＶ、ラジオ、或いは売手が関与する他のあらゆる広告媒体に関連づけることができる。この取引情報は、例えば、購入注文に関する比較及び決定を行う際に買手及び売手を支援するデータを共有する可能性のあるウェブ動向１２８のようなプログラムによって収集される。このようなデータは、多くの売手及び買手から収集され、より良い判断が行われるように平均及び動向が買手に示される一方で、買い手は自身のサプライチェーンや他のシステムからの特定の詳細な取引情報を売手に見せるようにしたり、或いは単に履歴データ１５２にデータを共有したりするようにすることができる。広告サーバ１３０は、購入された広告スペースの供給における待ち時間を最小限にするよう、広告を保存することができる保存設備である。
【００９３】
本原理によれば、ウェブマッチングエンジン１０は、データ収集、分類、順位付け、関連情報の添付、公表、料金請求、集金、及び金融機関１８５にリンクしている適切な関係者への支払いを行うように作動し、市場１８０の関係者間の支払いや譲渡を実行する。ＲＳＳ（Really Simple Syndication）を利用することにより、ウェブサービスは、異なるウェブベースの専有ネットワークソースから、他のプロトコルによる情報を供給する。ＷＭＥ１０は、数百万の買手及び売手から売買注文を収集し、様々なカテゴリ及びプロフィールに区分する。また、インベントリ配分マネージャ１７０、予算配分マネージャ１４４及び他の外部情報供給源から、履歴データやその他の情報を収集し、これらのデータを関連づけて購入注文と販売注文との間の適合した組み合わせを行う。このような組合せは、適正な広告サーバに組み込まれている経路手順に移動されることにより、適切な広告を正確な時期に正確な場所に配信することが可能となる。ＷＭＥ１０は、広告サーバ１３０，１４８及び１２６、評価１４６、ウェブ動向１２８、予備データベース１５０、他のネットワーク１８及びユーザから継続して取引情報を収集し、広告市場１８０に変化が生じると、広告サーバにある経路手順を改善して最適化する。また、外部データが収集され、予算配分マネージャ１４４、買手用のダッシュボード１４２、資産配分マネージャ１７０及びダッシュボード／インベントリマネージャに再配信される。このようなデータが処理され、より良い実績を買手に提供すると共に、現金へのより良い転換を売手に提供するために、購入注文及び販売注文における調整の勧告がシステムによって生成される。買手及び／又は売手は、このような勧告を手動により受け入れるか、或いは自動的に実行するかについて判断することができる。売手は、広告サーバ１２６及び１３０並びにウェブ動向１２８に蓄積されている自らの適合情報を公表し、ＷＭＥ１０によるランキングを改善すると共に、現金へのより良好な転換を行えるようにすることもできる。買手は、サプライチェーン１４０、ダッシュボード１４２及び他の情報供給源からのコンバージョン情報を公表し、ＷＭＥ１０及び他の売手が買手の要求に一層良好に合致させるようにすることができるようにすることもできる。ＷＭＥ１０内の情報は、クローラや外部情報収集ツールを使用するいかなるニュース収集機関或いはサーチエンジンよりも常に正確で新しいものとなる。更に、リアルタイムの通知と情報へのアクセスが提供される。本発明によれば、最近公開されたニュース、インベントリ情報、新たな価格及び新たなサービス或いは製品がシステム内に公表される。情報が入力されると、情報がシステムによって処理され、公表された情報が利用可能となったときにその情報のタイプについて通知されることに関心のあることを表明した、人々、関係当事者、或いは他のシステムに配信される。ＲＳＳは、ヘッドライン及び他のウェブコンテンツを共有するためのＸＭＬフォーマットである。
【００９４】
図６は、本原理の一実施形態に係る方法の工程を示すフローチャートである。ステップ２００において広告スペースの買手は、所望の広告スペースに関する予備的な情報を全て生成する。このとき買手は、日ごとに消費される金額、使用される媒体、最低限のコンバージョン数、地理的な適用範囲、ユーザのプロフィール及び履歴データ、並びに特定のキーワードに支払われる上限金額といったパラメータを設定することもできる。また、買手は、いつ、どのように、及びどのようなイベントに基づき購入を増減させるかというような、広告の設置に関するパラメータを規定するようにしてもよい。また、広告設置の成果に関する情報追跡結果に応じた買手による既存広告設置状態の修正も行われ、買手は、価格設定だけではなく、ダッシュボード（例えばグラフィカルユーザインターフェース、ＧＵＩ）及びサプライチェーン情報を確認して、購入注文を変更することもできる。更に、買手は、ウェブマッチングエンジンに置かれた別の広告媒体に対する広告スペースの申し出を確認し、提案された広告媒体の有用性を比較することもできる。このとき、買手は広告スペースの申し出に対し入札を行うようにしてもよい。
【００９５】
買手による予備的情報の生成と共に、広告スペースの売手は、ステップ２０５において広告スペースを生成し、管理している単一もしくは複数の広告媒体について、買手が購入する可能性のある広告パッケージを準備する。一実施形態によれば、広告スペース及びパッケージの生成は、ダッシュボードデータベースからのデータ、売手のインベントリからのデータ、及びウェブマッチングエンジン或いは買手の以前の活動パターンから得られた情報に基づく競合者の価格設定データの少なくとも１つを用いて行われる。売手は、利用可能なインベントリの価格設定や、特定期間における特定区分の広告スペースでの需要と供給のバランスに基づき増減する有用性を追加又は調整することができる。
【００９６】
次にステップ２１０において、売手及び買手の双方からの情報が、ウェブマッチングエンジンに送られる。売手及び買手の双方からの情報を全て受け取ると、ウェブマッチングエンジンは、買手の注文と売手の提案との合致を索出するためのサーチを行う。ある実施形態の場合、買手の注文には入札が含まれている。また、ウェブマッチングエンジンは、買手の注文と売手の提案についてのパラメータに関し、買手及び売手から受け取った情報を処理する。買手及び売手は、各買手についての第三者のコンバージョン情報だけではなく、実際の相手側価格設定の一覧、及びシステムによって一覧にされた価格設定を見ることができる。この結果、買手及び売手は、システムによって一覧にされた実際の価格設定だけではなく、別の買手及び売手による実際の価格設定の一覧の確認ができることを最大限活用し、自らのインベントリを買手及び売手の要求に合致させることができる。ある実施形態では、売手がその名称とインベントリをリストにすることにより、買手は利用可能なインベントリを見本として見ることができる。或いは、買手がその名前をその業種と共に一覧にしてもよい。
【００９７】
次に、ステップ２１５に示されるように、ウェブマッチングエンジンは、適切な合致についての情報を買手に送って承認を求める。そして、ステップ２２５に示されるように、買手は送付された合致結果を承認するか否かの判定を行う。ウェブマッチングエンジンによって示された少なくとも１つの合致結果を買手が承認しない場合、ステップ２２０に示されるように、買手は処理を継続するか否かについて判断する。このとき、買手はウェブマッチングエンジンに対し、継続して限定的な注文を提出するようにしてもよい。このような注文は、ウェブマッチングエンジンがその状態を維持すると共に、買手によって設定された最小限の要求を上回る能力を有した売手に対し、別の場所に広告を出すよう指示するものである。例えば、買手は、宝石類を一覧表示するための、クリック単価（ＣＰＣ）が最大で４ドル、ＣＰＭ（cost-per-thousand）が１ドル、ＣＰＡが２５ドルの米国ウェブ広告を１０万ドルで購入する注文を行うことができる。ウェブマッチングエンジンは、利用可能な広告の全てのクリック単価と自分の価格設定情報を監視し、買手の予算を消費するまで、買手によって提供された予算の範囲内でそのような広告に合致するものを見つけ出そうとする。本原理の好ましい実施形態によれば、ウェブマッチングエンジンは、広告価格の推定にベイジアン（Basian）理論を用い、広告価格に基づいて広告の設置を行うことができる。
【００９８】
一方、ウェブマッチングエンジンによって提示された少なくとも１の合致結果を買手が承認する場合、ステップ２３０において買手は合致結果に対する承認を発する。次に、ステップ２３２及び２３５において、ウェブマッチングエンジンは買い手の承認を処理し、選択された時期に選択された広告媒体に広告を掲示するよう、広告コンテンツデータベース（図９参照）に指示を行う。このとき、広告コンテンツデータベースは、適切なウェブサーバ或いは広告媒体サーバ、及び第三者の追跡機関から取引情報を収集する。広告コンテンツデータベースは、掲示された広告を追跡して成績を評価し、その情報をウェブマッチングエンジンのマッチングエンジン、価格設定データベース、及びシステムの他の部分に報告する。この結果、適切な広告媒体によって得られた結果に基づき、必要であれば他の買手及び取引を変更することが可能となる。
【００９９】
次に、追跡機関から得られた情報がステップ２４０において分析される。このとき、ウェブマッチングエンジンは、特定の広告媒体が靴の販売ではなくダイヤモンドの販売に対して一層効果的であると判断することによって、特定の広告媒体に置かれた広告をリアルタイムで交換することもできる。本原理の一実施形態によれば、ウェブマッチングエンジンは、まず最初に分析を行う買手に追跡結果の情報を送る。買手は追跡結果の情報を受け取ると、ステップ２４５において、新たな広告を追加するか否か、或いは既存の広告を修正するか否かを判断する。買手が広告の追加や既存の広告の修正を行わないと判断した場合には、この方法を終了する。一方、買手が広告の追加或いは既存の広告の修正を行うと判断した場合には、ステップ２００に戻り、買手は新たな情報を生成し、新たな広告の新たなパラメータを提供するか、或いは既存の広告の修正を行うことができる。
【０１００】
また、このとき売手は、ステップ２４２において、特定の広告媒体の価格設定或いは有用性の変更を行うと判断することができる。このとき、処理はステップ２０５に戻り、売手は利用可能なスペース、パッケージなどをウェブマッチングエンジンに提示する。
図７(ａ)及び７(ｂ)は、買手から図１のウェブマッチングエンジン１０への広告の送付までの、買手の活動に関する工程を示すフローチャートである。買手は、ステップ３０５において中央情報施設へのアクセスが認められる。そこで、ステップ３１０において買手は、提示されている広告スペースを閲覧するか否かの判断を行う。買手が広告スペースの閲覧を希望する場合、ステップ３２０において好ましいと思われる提案に入札を行うか否かを判断する。買手が入札を選択した場合には、ステップ３２５において本原理の方法に従い、その後の使用についての広告スペースの提案に対する入札が中央情報施設に送られる。
【０１０１】
一方、それまでに提示された広告スペースの提案について閲覧や入札を買手が希望しない場合、ステップ３１５において、広告スペースについての注文を提示するか否かを判断する。買手が注文の提示を希望しない場合、本方法は終了する。一方、買手が注文の提示を希望する場合、ステップ３４０において、広告の設置が新たなものであるか否かを判定する。広告の設置が新たなものである場合、ステップ３５０において買手には広告スペースの注文に関するパラメータを選択するオプションが提供される。一方、広告の設置が新たなものではない場合、ステップ３４５において、買手は既存の広告スペースのパラメータ及び予備情報が変化したか否かを判断する。既存の広告のパラメータ及び予備情報に変化が生じた場合、ステップ３５０に戻り、買手には広告スペースの注文に関するパラメータを選択するオプションが提供される。一方、既存の広告のパラメータ及び予備情報に変化が生じなかった場合、ステップ３６５において、広告スペース、パラメータ、キャンペーン期間、コスト変動情報、及びその他の予備情報をウェブマッチングエンジンに再送するオプションが買手に提供される。
【０１０２】
ステップ３５０において広告スペースに関するパラメータの選択を行った後、ステップ３５５において買手は、広告キャンペーンの期間について確認する。次に買手は、ステップ３６０において費用請求情報を確認する。ステップ３６５において情報は、他の広告スペース、パラメータ、キャンペーン期間、及び費用請求情報と共に、その後の使用のためにウェブマッチングエンジンに送られる。
【０１０３】
図８は、売手からウェブマッチングエンジン１０への広告スペース或いはパッケージの提案の送付までの、売手の活動に関する工程を示すフローチャート４００である。この場合、売手はステップ４０５で広告スペースを生成し、ステップ４１０に示されるように売手が買手に提案しようとする広告設置のパッケージを創設する。次に、提案された広告スペースが、ステップ４１５において収集され、その後の使用のためにステップ４２０においてウェブマッチングエンジンに送られる。
【０１０４】
図９は、本原理のウェブマッチングエンジン１０における、買手の注文及び売手の提案の、受け取り、処理、及び合致に関する工程を示すフローチャートである。はじめに、ウェブマッチングエンジンはステップ５００において、買手からの広告設置の注文と、売手からの広告設置の提案とを受け取る。このとき、ウェブマッチングエンジンは既存の注文や提案に対する修正も受け取り、買手及び売手の双方からのその他の情報も受け取る。
【０１０５】
次に、ウェブマッチングエンジンは、ステップ５１０において、参入している全ての買手及び売手の身元を外から見えないようにする。そして、マッチングエンジンはステップ５１５において、売手の提案と合致させるための買手のパラメータを適用する。適用された買手のパラメータに基づき、ウェブマッチングエンジンは買手の注文と売手の提案とを合致させるため、ステップ５２０においてデータベースをサーチする。次にウェブマッチングエンジンは、ステップ５２５において注文と提案とが合致するか否かを判断っする。合致する注文が見つからなかった場合、ステップ５１５に戻り、ウェブマッチングエンジンが合致するものを見出すための売手のパラメータを再び適用する。合致するものが見つかった場合、ウェブマッチングエンジンは、本発明の方法に従って使用するために、ステップ５３０において、合致する提案を特定の買手に送る。
【０１０６】
図１０(ａ)乃至１０(ｅ)は、買手からの注文と売手からの少なくとも１つの提案との少なくとも１つの合致をウェブマッチングエンジンが見出した後に、買手によって行われる決定に関する工程を示すフローチャートである。買手はステップ６０５において、注文を確認し、合致する提案が容認できるものであるか否かを判断する。図１０(ｂ)に示されるように、提案が容認できないものである場合、買手はステップ６５５において、追加の処置をとるべきか否かの判断を行う。追加の処置が不要である場合、この方法は終了する。一方、追加の処置が必要である場合、買手はステップ６６０において、既存の広告のパラメータを修正するか否かについて判断する。既存の広告スペースのパラメータに修正を行うことを買手が選択した場合、図７(ｂ)のステップ３５０に戻る。一方、既存の広告スペースのパラメータに修正を行うことを選択しない場合、買手はステップ６７０において、合致したものが得られるまで既存の注文のパラメータをそのままにしておくか否かを判断する。合致したものが得られるまで注文のパラメータをそのままにしないことを買手が選択する場合、本方法は終了する。一方、合致するものが得られるまで注文のパラメータをそのままにしておくことを買手が選択した場合、図９のステップ５１５に戻る。
【０１０７】
図１０(ａ)に戻ると、合致したものが容認できるものであるとステップ６０５において買い手が判断した場合、買手は提案された広告スペースを購入するか否かをステップ６１０において判断する。買手が広告スペースを購入しないことを選択する場合、買手はステップ６１５に示されるように、提案された広告スペースにオプションを設けるか否かの判断を行う。ここで、前述のように、提案された広告スペースにオプションを設定しないことを買手が選択した場合、買手はステップ６２０において、提案された広告スペースを予約するか否かについて判断する。そして、広告スペースの予約や、広告スペースへのオプションの設定、或いは提案された広告スペースの購入を買手が希望しない場合には、図１０(ｂ)に戻る。一方、提案された広告スペースの購入、提案された広告スペースへのオプションの設定、或いは提案された広告スペースの予約のいずれかを買手が選択する場合には、それぞれ対応するステップ６３０，６３５，６４０のいずれかに進む。このとき、買手は、設置オプションの購入、或いは購入が提案された広告スペースの予約のいずれかに対する許可が与えられる。そして、買手の決断はステップ６４５においてウェブマッチングエンジンに送られる。
【０１０８】
図１０(ｃ)を参照すると、ステップ７１０に示されるように、ウェブマッチングエンジンは、取引を精算して記録する。マッチングエンジンはステップ７２０において、料金請求を行うと共に、必要であれば取引の記録に伴う関連費用を差し引く。次に、ウェブマッチングエンジンはステップ７３０において、指定された広告媒体に広告を配信し、ステップ７４０において追跡機関による追跡情報を入手して掲示された広告の実績を監視し、ステップ７５０において分析のためにマッチングエンジンに追跡情報を送る。
【０１０９】
図１０(ｄ)を参照すると、ウェブマッチングエンジンはステップ７７０において、広告スペースの実績レベルを、予め取り決めた成績レベルと比較する。そして、ステップ７８０において、広告スペースの実績が予め取り決めた成績レベルに一致しているか否かを判定する。広告スペースの実績が予め取り決めた成績レベルに一致している場合、ステップ８１０に示されるように、ウェブマッチングエンジンは買手への返金を行わない。一方、広告スペースの実績が予め取り決めた成績レベルとは相違する場合、ウェブマッチングエンジンは、広告スペースの実績が予め取り決めた成績レベルを下回ったのか否かをステップ７９０で判断する。広告スペースの実績が予め取り決めた成績レベルを下回ったと判断した場合、ウェブマッチングエンジンはステップ８２０において、返金、クレジットの発行、或いは買手への別の補償として追加の広告スペースの提案を行う。広告スペースの実績が予め取り決めた成績レベルを下回っていない場合、ウェブマッチングエンジンはステップ８００において、広告スペースの実績が予め取り決めた成績レベルを上回ったのか否かを判定する。広告スペースの実績が予め取り決めた成績レベルを上回った場合、ウェブマッチングエンジンはステップ８３０に進む処理に示されるように、買手に割増金を請求する。広告スペースの実績が予め取り決めた成績レベルを上回っていない場合は、ステップ７７０に戻る。
【０１１０】
ウェブマッチングエンジンが料金請求又は返金を行い、或いは返金や他の補償を買手に行わないステップ８１０，８２０，８３０の処理の後、マッチングエンジンはステップ８４０に示されるように、設置された広告スペースに関する追跡データを表示する。次に、ウェブマッチングエンジンはステップ８５０において、再検討のために買手に追跡データを送出する。
【０１１１】
図１０(ｅ)を参照すると、買手は追跡情報を受け取った後、ステップ８５５に示されるように、既存の設置を修正するか否かについて判断する。買手が既存の広告設置を修正すると判断した場合、ステップ８６０に示されるように修正が行われ、図９のステップ５００に戻る。一方、買手が既存の広告設置を修正しないと判断した場合、買手はステップ８７０に示されるように広告スペースの追加注文を行うか否かについて判断する。買手が更なる広告スペースの追加をしないと判断した場合、本方法は終了する。一方、買手が更なる広告スペースの追加を行うと判断した場合、図７(ａ)のステップ３１５に戻る。
【０１１２】
本原理の一実施形態では、ポップアップ広告、ストリーミングビデオ、バナー、キーワード、広告、広告掲示板、ラジオ、ＴＶ、及びＤＶＤ広告のようなオプションが実行される。この場合、これらのオプションは、ウェブサービスだけではなく、特定のプロモーションコード、又はＸＭＬもしくはＨＴＭＬリンクを用いて追跡される。本原理は、デバイスのワイヤレス化が進むに従い、ブルートゥース、ＲＦＩＤ（Radio Frequency Identification）、或いはユーザと広告との間に見出される別の形式に基づき、ユーザとの相互のやりとりを報告できるようにこれらのデバイスを構成する上で有利なものとなろう。
【０１１３】
別の実施形態では、ユーザ情報を、信頼できる（即ち安全な）ウェブマッチングエンジンに開示して、ユーザの要求或いはサーチ結果をより良好に適合させる能力をブラウザに与えるため、ブラウザプラグインが用いられる。本実施形態によれば、ウェブマッチングエンジンは、ユーザ情報を利用して売手の最善のランキングを提供すると共に、買手と売手との最善の合致を提供する。このとき、マッチングエンジンは、アクシオム（Acxiom）のような第三者顧客プロフィール分析会社を利用し、個人情報と、買手に最適の結果をもたらすようなプロフィール情報とを結合することにより、かなり的を絞ったマーケティングを可能とするようにしてもよい。また、売手は、自らの個人的な秘匿情報の開示について、このような情報の開示が全ユーザのための施設の全体的な能力を改善する集合体として利用されるだけであるので、中央情報施設に委託するようにしてもよい。
【０１１４】
本原理のシステム及び方法は、情報の伝達及び配信のための市場の創造を可能とし、様々な情報供給源に対するリアルタイムの市場価格設定を提供すると共に、そのような情報の付加、添付、或いは告示に対してほかのものが快く支払いうる価格を提供する。更に、登録者及び公表者は、予め合意した額に基づき、コンテンツを販売するためにこの情報を利用する一方、別の登録者は、最新の市場価格に基づき、ウェブマッチングエンジンにより収入を自動化させ最適化させるようにすることもできる。
【０１１５】
このように、本発明の基本的な新規の特徴は、その好ましい実施形態に適用されることによって、明らかにされ、説明されて指し示されたが、例示されたデバイスの形態及び詳細において、様々な省略、置換、及び変更が、本発明の真意から逸脱することなく、当業者によってなし得ることを特筆する。例えば、実質的に同じ方法で同じ結果をもたらす、実質的に同じ機能を発揮する要素及び／又は工程の組合せは全て本発明の範囲内にあると解釈すべきである。また、開示された本発明の形態及び具体例に関連して示され及び／又は説明された、構成、要素、及び／又は工程は、全般的な設計的選択事項として別に開示され、説明され、或いは示唆された形態或いは具体例と組み合わせることが可能である。従って、本発明は添付の特許請求の範囲のみによって限定されるものである。
【図面の簡単な説明】
【０１１６】
【図１】本原理の一実施形態に係るウェブマッチングエンジンにおける、様々な要素間での相互作用を示す例示的なブロック図である。
【図２ａ】図１のウェブマッチングエンジンによって収集された情報の処理を示す例示的な概略ブロック図である。
【図２ｂ】本原理の一実施形態に係るウェブマッチングエンジンにおける、様々な機能レイヤの展開図である。
【図２ｃ】本原理に係るウェブマッチングエンジンにおける、様々な要素間での相互作用を示す例示的な概略ブロック図である。
【図２ｄ】図２ｃのウェブマッチングエンジンによって収集された情報の処理を示す例示的な概略ブロック図である。
【図３】本原理の合致方法における例示的な工程を示すフローチャートである。
【図４】本原理に係る方法の代替工程を示すフローチャートである。
【図５】本原理に係るシステムの概略ブロック図である。
【図６】本原理に係る方法における工程の全般的な概要を示すフローチャートである。
【図７ａ】買手から図５の中央情報施設への広告の伝送までの買手の活動に関連する工程を示すフローチャートである。
【図７ｂ】買手から図５の中央情報施設への広告の伝送までの買手の活動に関連する工程を示すフローチャートである。
【図８】売手から図５の中央情報施設への広告スペース又はパッケージについての提案の伝送までの売手の活動に関する工程を示すフローチャートである。
【図９】図５のウェブマッチングエンジンにおいて、買手の注文及び売手の提案の受け取り、処理、合致に関する工程を示すフローチャートである。
【図１０ａ】ウェブマッチングエンジンが買手からの注文と売手からの少なくとも１つの提案との間の少なくとも１つの合致を見出した後に、買手によって行われる決定に関する工程を示すフローチャートである。
【図１０ｂ】ウェブマッチングエンジンが買手からの注文と売手からの少なくとも１つの提案との間の少なくとも１つの合致を見出した後に、買手によって行われる決定に関する工程を示すフローチャートである。
【図１０ｃ】ウェブマッチングエンジンが買手からの注文と売手からの少なくとも１つの提案との間の少なくとも１つの合致を見出した後に、買手によって行われる決定に関する工程を示すフローチャートである。
【図１０ｄ】ウェブマッチングエンジンが買手からの注文と売手からの少なくとも１つの提案との間の少なくとも１つの合致を見出した後に、買手によって行われる決定に関する工程を示すフローチャートである。
【図１０ｅ】ウェブマッチングエンジンが買手からの注文と売手からの少なくとも１つの提案との間の少なくとも１つの合致を見出した後に、買手によって行われる決定に関する工程を示すフローチャートである。
【図１】
2008539512.tif 000003
【図２ａ】
2008539512.tif 000004
【図２ｂ】
2008539512.tif 000005
【図２ｃ】
2008539512.tif 000006
【図２ｄ】
2008539512.tif 000007
【図３】
2008539512.tif 000008
【図４】
2008539512.tif 000009
【図５】
2008539512.tif 000010
【図６】
2008539512.tif 000011
【図７ａ】
2008539512.tif 000012
【図７ｂ】
2008539512.tif 000013
【図８】
2008539512.tif 000014
【図９】
2008539512.tif 000015
【図１０ａ】
2008539512.tif 000016
【図１０ｂ】
2008539512.tif 000017
【図１０ｃ】
2008539512.tif 000018
【図１０ｄ】
2008539512.tif 000019
【図１０ｅ】
2008539512.tif 000020
【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
広告スペースの少なくとも１の買手と、広告スペースの少なくとも１の売手と、少なくとも１のウェブマッチングエンジンとの間で、動的でリアルタイムの環境においてリアルタイムに広告の設置を行う方法であって、
少なくとも１の買手からの所望の広告スペースに関する注文情報と、少なくとも１の売手からの広告スペースについての売手側提案情報とを、少なくとも１のウェブマッチングエンジンにおいて受け取る工程と、
少なくとも１の上記買手側注文情報と少なくとも１の上記売手側提案情報との間の少なくとも１の合致に関する情報を、少なくとも１の上記ウェブマッチングエンジンから少なくとも１の買手に承認を求めて送る工程と、
所望の広告スペースに関する少なくとも１の上記買手側注文情報と広告スペースに関する少なくとも１の上記売手側提案情報との間の少なくとも１の合致に関する上記情報を、少なくとも１の上記買手が承認したか否かを判定する工程と、
少なくとも１の上記ウェブマッチングエンジンに、少なくとも１の買手承認を送る工程と、
少なくとも１の上記買手承認を処理して、少なくとも１の承認された広告を選択された媒体に掲示する工程と、
少なくとも１の上記承認された広告によって広告への投資が注文及び収入に変換されることについての広告の有用性を示す実績情報を追跡し評価して上記ウェブマッチングエンジンに供給する追跡機関から得られた、少なくとも１の上記承認された広告についての情報を分析する工程と、
少なくとも１の上記買手が、新たな広告の追加、或いは少なくとも１の上記承認された広告の修正を行うか否かを、広告への投資が注文及び収入に変換されることについての広告の上記有用性に基づき判断できるようにするために、分析された上記情報を少なくとも１の上記買手に提供する工程と
を備えることを特徴とする、動的でリアルタイムの環境においてリアルタイムに広告の設置を行う方法。
【請求項２】
少なくとも１の上記買手側注文情報と少なくとも１の売手側提案情報との間の少なくとも１の合致に関する情報の承認の継続を少なくとも１の買手が決断したか否かを判定する工程を更に備えることを特徴とする、請求項１に記載の動的でリアルタイムの環境においてリアルタイムに広告の設置を行う方法。
【請求項３】
少なくとも１の所望の広告スペースに関する予備情報を生成する工程を更に備えることを特徴とする、請求項２に記載の動的でリアルタイムの環境においてリアルタイムに広告の設置を行う方法。
【請求項４】
少なくとも１の上記買手は、広告に関する少なくとも１のパラメータを設定することを特徴とする、請求項１に記載の動的でリアルタイムの環境においてリアルタイムに広告の設置を行う方法。
【請求項５】
少なくとも１の上記パラメータは、日々の消費額、広告に用いられる広告媒体、下限コンバージョン数、広告の地理的対象範囲、ユーザのプロフィール及び履歴、並びに特定キーワードに対する上限支払額のうちの少なくとも１つであることを特徴とする、請求項４に記載の動的でリアルタイムの環境においてリアルタイムに広告の設置を行う方法。
【請求項６】
少なくとも１の上記買手は、広告設置に関する少なくとも１のパラメータを指定することを特徴とする、請求項１に記載の動的でリアルタイムの環境においてリアルタイムに広告の設置を行う方法。
【請求項７】
少なくとも１の上記パラメータは、広告購入の増減時期、広告購入の増減方法、及び広告購入を増減させるイベントの少なくとも１つからなることを特徴とする、請求項６に記載の動的でリアルタイムの環境においてリアルタイムに広告の設置を行う方法。
【請求項８】
少なくとも１の買手からの上記注文情報は、広告スペースへの入札を含むことを特徴とする、請求項１に記載の動的でリアルタイムの環境においてリアルタイムに広告の設置を行う方法。
【請求項９】
少なくとも１の上記売手は、少なくとも１の広告スペースを生成し、少なくとも１の買手による単一或いは複数の広告媒体の購入のために広告のパッケージを作成することを特徴とする、請求項１に記載の動的でリアルタイムの環境においてリアルタイムに広告の設置を行う方法。
【請求項１０】
少なくとも１の上記広告スペースの生成及び上記広告パッケージの作成は、データベースからのデータ、売手のインベントリ、及び中央情報施設から得られた情報と少なくとも１の上記買手のそれまでの活動パターンとに基づく競合者の価格設定の少なくとも１つを用いて行われることを特徴とする、請求項９に記載の動的でリアルタイムの環境においてリアルタイムに広告の設置を行う方法。
【請求項１１】
上記送る工程は、少なくとも１の上記ウェブマッチングエンジンでサーチを行い、少なくとも１の上記買手側注文情報と少なくとも１の上記売手側提案情報との間の少なくとも１の合致に関する上記情報を索出する工程を含むことを特徴とする、請求項１に記載の動的でリアルタイムの環境においてリアルタイムに広告の設置を行う方法。
【請求項１２】
上記ウェブマッチングエンジンは、少なくとも１の上記買手と少なくとも１の上記売手とから、少なくとも１の買手側注文と少なくとも１の売手側提案とに関して受け取った情報を処理することを特徴とする、請求項１に記載の動的でリアルタイムの環境においてリアルタイムに広告の設置を行う方法。
【請求項１３】
少なくとも１の上記買手と、少なくとも１の上記売手とは、一覧にされた互いの実際の価格設定、システムによって一覧にされた実際の価格設定、及び第三者による各買手についてのコンバージョン情報の少なくとも１つを閲覧することが可能であることを特徴とする、請求項１に記載の動的でリアルタイムの環境においてリアルタイムに広告の設置を行う方法。
【請求項１４】
上記ウェブマッチングエンジンに継続的な限定注文を提示する工程を更に備えることを特徴とする、請求項２に記載の動的でリアルタイムの環境においてリアルタイムに広告の設置を行う方法。
【請求項１５】
上記継続的な限定注文は、少なくとも１の上記買手によって設定された最低限の要求を上回る実績を有した少なくとも１の売手について、上記ウェブマッチングエンジンに現状の維持及び別の位置への広告の設置を行わせる指示からなることを特徴とする、請求項１４に記載の動的でリアルタイムの環境においてリアルタイムに広告の設置を行う方法。
【請求項１６】
上記ウェブマッチングエンジンは、利用可能な広告のクリック単価とその価格設定情報とを全て監視し、少なくとも１の上記買手の予算が消費されるまで、少なくとも１の上記買手によって提示された予算の範囲内での広告の合致を試みることを特徴とする、請求項１５に記載の動的でリアルタイムの環境においてリアルタイムに広告の設置を行う方法。
【請求項１７】
上記分析の工程は、
少なくとも１の適切なウェブ、或いは広告媒体サーバ及び第三者の追跡機関から取引情報を収集する工程と、
選択された広告媒体に少なくとも１の承認された広告を掲示する工程と、
掲示された少なくとも１の上記広告の実績を、少なくとも価格設定データベース及び上記ウェブマッチングエンジンに報告する工程と、
を有することを特徴とする、請求項１に記載の動的でリアルタイムの環境においてリアルタイムに広告の設置を行う方法。
【請求項１８】
少なくとも１の上記買手によって設定された上記最低限の要求を下回る実績の広告について、少なくとも１の上記買手に返金を行う工程を更に備えることを特徴とする、請求項１５に記載の動的でリアルタイムの環境においてリアルタイムに広告の設置を行う方法。
【請求項１９】
少なくとも１の上記買手によって設定された上記最低限の要求を上回る実績の広告について、少なくとも１の上記買手に料金請求を行う工程を更に備えることを特徴とする、請求項１５に記載の動的でリアルタイムの環境においてリアルタイムに広告の設置を行う方法。
【請求項２０】
広告スペースの少なくとも１の買手と、広告スペースの少なくとも１の売手との間で、動的でリアルタイムの環境においてリアルタイムに広告の設置を行うシステムであって、
少なくとも１の買手からの所望の広告スペースに関する注文情報と、少なくとも１の売手からの広告スペースについての売手側提案情報とを受け取るウェブマッチングエンジンであって、少なくとも１の上記承認された広告によって広告への投資が注文及び収入に変換されることについての広告の有用性を示す実績情報を追跡し評価して上記ウェブマッチングエンジンに供給する追跡機関から得られた、少なくとも１の上記承認された広告に基づく情報を分析するウェブマッチングエンジンと、
第１のネットワークを介して上記ウェブマッチングエンジンに接続され、少なくとも１の上記買手からの注文情報をアップロードする少なくとも１の買手側演算デバイスと、
第２のネットワークを介して上記ウェブマッチングエンジンに接続された少なくとも１の売手側演算デバイスと、
上記ウェブマッチングエンジンに間接的に接続された切換ノードと、
上記切換ノードに接続された少なくとも１の買手側コンテンツサーバと、
上記切換ノードに接続された少なくとも１の売手側コンテンツサーバと、
上記切換ノードに接続されたコンテンツデータベース及びサーバと
を備えることを特徴とする、動的でリアルタイムの環境においてリアルタイムに広告の設置を行うシステム。
【請求項２１】
少なくとも１の上記買手は、広告主或いは広告代理店からなることを特徴とする、請求項２０に記載の動的でリアルタイムの環境においてリアルタイムに広告の設置を行うシステム。
【請求項２２】
上記ウェブマッチングエンジンは、収集、分類、ランク付け、関連情報の添付、公表、料金請求、集金、及び受け取り当事者への支払いの少なくとも１つを行うことを特徴とする、請求項２０に記載の動的でリアルタイムの環境においてリアルタイムに広告の設置を行うシステム。
【請求項２３】
上記ウェブマッチングエンジンは、オープンソースソフトウエアを介して上記切換ノードに接続されることを特徴とする、請求項２０に記載の動的でリアルタイムの環境においてリアルタイムに広告の設置を行うシステム。
【請求項２４】
少なくとも１の上記買手側演算デバイスは、コンピュータ、携帯電話、個人用携帯情報端末（ＰＤＡ）、及び他のウェブ利用可能デバイスの少なくとも１つからなることを特徴とする、請求項２０に記載の動的でリアルタイムの環境においてリアルタイムに広告の設置を行うシステム。
【請求項２５】
少なくとも１の上記買手側コンテンツサーバは、上記切換ノードと相互に情報交換し、上記切換ノードは、少なくとも１の上記売手側コンテンツサーバ並びに上記中央コンテンツデータベース及びサーバと相互に情報交換することを特徴とする、請求項２０に記載の動的でリアルタイムの環境においてリアルタイムに広告の設置を行うシステム。
【請求項２６】
上記ウェブマッチングエンジンは、少なくとも１の上記買手側注文情報と少なくとも１の上記売手側提案情報との間の少なくとも１の合致に関する情報を、少なくとも１の上記買手に送って承認を求めることを特徴とする、請求項２０に記載の動的でリアルタイムの環境においてリアルタイムに広告の設置を行うシステム。
【請求項２７】
上記ウェブマッチングエンジンは、所望の広告スペースについての少なくとも１の上記買手側注文情報と広告スペースについての少なくとも１の上記売手側提案情報との間の少なくとも１の合致に関する上記情報を、少なくとも１の上記買手が承認したか否かを判定することを特徴とする、請求項２６に記載の動的でリアルタイムの環境においてリアルタイムに広告の設置を行うシステム。
【請求項２８】
上記ウェブマッチングエンジンは、少なくとも１の買手承認を受け取り、少なくとも１の上記買手承認を処理し、承認された広告を上記選択された広告媒体に掲示することを特徴とする、請求項２６に記載の動的でリアルタイムの環境においてリアルタイムに広告の設置を行うシステム。
【請求項２９】
上記ウェブマッチングエンジンは、少なくとも１の上記買手が、新たな広告の追加、或いは少なくとも１の上記承認された広告の修正を行うか否かを判断できるようにするために、分析された上記情報を、少なくとも１の上記買手に提供することを特徴とする、請求項２０に記載の動的でリアルタイムの環境においてリアルタイムに広告の設置を行うシステム。
【国際調査報告】
2008539512.tif 000021